(57)【要約】【課題】セルクラスタを導入した場合などにおいて消費電力低減（Energy Saving：ＥＳ）動作を実現可能な通信システムを提供する。【解決手段】通信システムは、通信端末装置と、通信端末装置と無線通信可能な複数のセルを構成する少なくとも１つの基地局装置と、複数のセルを制御するエンティティとを備える。複数のセルのそれぞれは、通常動作と消費電力低減動作とを切替え可能に構成され、所定のセルクラスタに属する。エンティティは、複数のセルの通常動作と消費電力低減動作との切り替えを制御する。【選択図】図２６
2018133817.tif 000002
【特許請求の範囲】
【請求項１】
通信端末装置と、
前記通信端末装置と無線通信可能な複数のセルを構成する少なくとも１つの基地局装置と、
前記複数のセルを制御するエンティティと
を備え、
前記複数のセルのそれぞれは、通常動作と消費電力低減動作とを切替え可能に構成され、所定のセルクラスタに属し、
前記エンティティは、前記複数のセルの前記通常動作と前記消費電力低減動作との切り替えを制御する、
通信システム。
【請求項２】
前記エンティティは、前記通常動作と前記消費電力低減動作との切り替えを、セルクラスタ単位で制御する、請求項１に記載の通信システム。
【請求項３】
前記複数のセルは、複数のセルクラスタに属するセルを含む、請求項１または２に記載の通信システム。
【請求項４】
通信端末装置と、
前記通信端末装置と無線通信可能な複数のセルを構成する少なくとも１つの基地局装置と、
前記複数のセルを制御するエンティティと
を備え、
前記複数のセルのそれぞれは、通常動作と消費電力低減動作とを切替え可能に構成され、
前記エンティティは、前記通信端末装置の移動先のセルを、前記通信端末装置が該セル内へ移動する前に、前記通常動作に移行するように制御する、
通信システム。
【発明の詳細な説明】
【技術分野】
【０００１】
本発明は、コアネットワークに接続されるネットワーク装置と、ネットワーク装置を介して無線通信を行う通信端末装置とを備える通信システムに関する。
【背景技術】
【０００２】
第３世代と呼ばれる通信方式のうち、Ｗ−ＣＤＭＡ（Wideband Code division Multiple Access）方式が、２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Downlink Packet Access）のサービスが開始されている。さらに、上り方向のデータ送信をより高速化するために、ＨＳＵＰＡ（High Speed Uplink Packet Access）方式についてもサービスが開始されている。Ｗ−ＣＤＭＡは、移動体通信システムの規格化団体である３ＧＰＰ（3rd Generation Partnership Project）により定められた通信方式であり、リリース１０版の規格書がとりまとめられている。
【０００３】
また、３ＧＰＰにおいて、Ｗ−ＣＤＭＡとは別の通信方式として、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている。この通信方式は３．９Ｇ（3.9 Generation）システムとも呼ばれる。
【０００４】
ＬＴＥでは、アクセス方式、無線のチャネル構成やプロトコルが、Ｗ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡとは異なり、回線交換を含まず、パケット通信方式のみになる。
【０００５】
ＬＴＥでは、Ｗ−ＣＤＭＡのコアネットワークであるＧＰＲＳ（General Packet Radio Service）とは異なる新たなコアネットワークを用いて通信システムが構成されるので、ＬＴＥの無線アクセス網（無線アクセスネットワーク（radio access network））は、Ｗ−ＣＤＭＡ網とは別の独立した無線アクセス網として定義される。
【０００６】
したがって、Ｗ−ＣＤＭＡの通信システムと区別するために、ＬＴＥの通信システムでは、コアネットワークはＥＰＣ（Evolved Packet Core）と称され、無線アクセスネットワークはＥ−ＵＴＲＡＮ（Evolved Universal Terrestrial Radio Access Network）と称される。また無線アクセスネットワークにおいて、通信端末装置である移動端末（User Equipment：ＵＥ）と通信を行う基地局（Base station）はｅＮＢ（E-UTRAN NodeB）と称される。また複数の基地局と制御データおよびユーザデータのやり取りを行う基地局制御装置（Radio Network Controller）の機能は、ＥＰＣが担う。ＥＰＣは、ａＧＷ（Access Gateway）とも称される。またＥＰＣとＥ−ＵＴＲＡＮとで構成されるシステムは、ＥＰＳ（Evolved Packet System）と称される。
【０００７】
ＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスである。Ｅ−ＭＢＭＳサービスは、単にＭＢＭＳと称される場合もある。Ｅ−ＭＢＭＳサービスでは、複数の移動端末に対して、ニュースおよび天気予報、ならびにモバイル放送などの大容量放送コンテンツが送信される。これを１対多（Point to Multipoint）サービスともいう。
【０００８】
３ＧＰＰでの、ＬＴＥシステムにおける全体的なアーキテクチャ（Architecture）に関する決定事項が、非特許文献１（４章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮは１つあるいは複数の基地局１０２によって構成される。
【０００９】
基地局１０２は、移動管理エンティティ（Mobility Management Entity：ＭＭＥ）１０３から通知されるページング信号（Paging Signal、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。
【００１０】
ＭＭＥ１０３は、複数あるいは単数の基地局１０２へのページング信号の分配を行う。また、ＭＭＥ１０３は、待受け状態（Idle State）のモビリティ制御（Mobility control）を行う。ＭＭＥ１０３は、移動端末が待ち受け状態の際、および、アクティブ状態（Active State）の際に、トラッキングエリア（Tracking Area）リストの管理を行う。
【００１１】
Ｓ−ＧＷ１０４は、一つまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在する。Ｐ−ＧＷは、ユーザ毎のパケットフィルタリングおよびＵＥ−ＩＤアドレスの割当などを行う。
【００１２】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末との状態として、ＲＲＣ＿ＩＤＬＥと、ＲＲＣ＿ＣＯＮＮＥＣＴＥＤとがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）のメジャメントなどが行われる。
【００１３】
非特許文献１（５章）に記載される、３ＧＰＰでの、ＬＴＥシステムにおけるフレーム構成に関する決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。
【００１４】
サブフレーム単位で、ＭＢＳＦＮ（Multimedia Broadcast multicast service Single Frequency Network）用のチャネルと、ＭＢＳＦＮ以外用のチャネルとの多重が行われる。ＭＢＳＦＮ送信（MBSFN Transmission）とは、同時に複数のセルから同じ波形の送信により実現される同時放送送信技術（simulcast transmission technique）である。ＭＢＳＦＮ領域（MBSFN Area）の複数のセルからのＭＢＳＦＮ送信は、移動端末には、１つの送信と認識される。ＭＢＳＦＮとは、このようなＭＢＳＦＮ送信をサポートするネットワークである。以降、ＭＢＳＦＮ送信用のサブフレームをＭＢＳＦＮサブフレーム（MBSFN subframe）と称する。
【００１５】
非特許文献２に、ＭＢＳＦＮサブフレームの割り当て時のシグナリング例が記載されている。図３は、ＭＢＳＦＮフレームの構成を示す説明図である。図３に示すように、割当周期（radio Frame Allocation Period）毎にＭＢＳＦＮサブフレームを含む無線フレームが割り当てられる。ＭＢＳＦＮサブフレームは、割当周期と割当オフセット（radio Frame Allocation Offset）とによって定義された無線フレームにてＭＢＳＦＮのために割り当てられるサブフレームであり、マルチメディアデータを伝送するためのサブフレームである。以下の式（１）を満たす無線フレームが、ＭＢＳＦＮサブフレームを含む無線フレームである。
ＳＦＮ ｍｏｄ radioFrameAllocationPeriod＝radioFrameAllocationOffset  …（１）
【００１６】
ＭＢＳＦＮサブフレームの割当は６ビットにて行われる。図３の１番左のビットは、サブフレームの２番目（＃１）のＭＢＳＦＮ割当を定義する。左から２番目のビットはサブフレームの３番目（＃２）、左から３番目のビットはサブフレームの４番目（＃３）、左から４番目のビットはサブフレームの７番目（＃６）、左から５番目のビットはサブフレームの８番目（＃７）、左から６番目のビットはサブフレームの９番目（＃８）のＭＢＳＦＮ割当を定義する。該ビットが「１」を示す場合、対応するサブフレームがＭＢＳＦＮのために割当てられることを示す。
【００１７】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。
【００１８】
図４において、物理報知チャネル（Physical Broadcast channel：ＰＢＣＨ）４０１は、基地局１０２から移動端末１０１への下り送信用のチャネルである。ＢＣＨトランスポートブロック（transport block）は、４０ｍｓ間隔中の４個のサブフレームにマッピングされる。４０ｍｓタイミングの明白なシグナリングはない。
【００１９】
物理制御フォーマットインジケータチャネル（Physical Control Format Indicator Channel：ＰＣＦＩＣＨ）４０２は、基地局１０２から移動端末１０１への下り送信用のチャネルである。ＰＣＦＩＣＨは、ＰＤＣＣＨｓのために用いるＯＦＤＭシンボルの数を、基地局１０２から移動端末１０１へ通知する。ＰＣＦＩＣＨは、サブフレーム毎に送信される。
【００２０】
物理下り制御チャネル（Physical Downlink Control Channel：ＰＤＣＣＨ）４０３は、基地局１０２から移動端末１０１への下り送信用のチャネルである。ＰＤＣＣＨは、後述の図５に示されるトランスポートチャネルの１つである下り共有チャネル（Downlink Shared Channel：ＤＬ−ＳＣＨ）のリソース割り当て（allocation）情報、図５に示されるトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【００２１】
物理下り共有チャネル（Physical Downlink Shared Channel：ＰＤＳＣＨ）４０４は、基地局１０２から移動端末１０１への下り送信用のチャネルである。ＰＤＳＣＨには、トランスポートチャネルである下り共有チャネル（ＤＬ−ＳＣＨ）、およびトランスポートチャネルであるＰＣＨがマッピングされている。
【００２２】
物理マルチキャストチャネル（Physical Multicast Channel：ＰＭＣＨ）４０５は、基地局１０２から移動端末１０１への下り送信用のチャネルである。ＰＭＣＨには、トランスポートチャネルであるマルチキャストチャネル（Multicast Channel：ＭＣＨ）がマッピングされている。
【００２３】
物理上り制御チャネル（Physical Uplink Control Channel：ＰＵＣＣＨ）４０６は、移動端末１０１から基地局１０２への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。
【００２４】
物理上り共有チャネル（Physical Uplink Shared Channel：ＰＵＳＣＨ）４０７は、移動端末１０１から基地局１０２への上り送信用のチャネルである。ＰＵＳＣＨには、図５に示されるトランスポートチャネルの１つである上り共有チャネル（Uplink Shared Channel：ＵＬ−ＳＣＨ）がマッピングされている。
【００２５】
物理ＨＡＲＱインジケータチャネル（Physical Hybrid ARQ Indicator Channel：ＰＨＩＣＨ）４０８は、基地局１０２から移動端末１０１への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）４０９は、移動端末１０１から基地局１０２への上り送信用のチャネルである。ＰＲＡＣＨは、ランダムアクセスプリアンブル（random access preamble）を運ぶ。
【００２６】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signals：ＣＲＳ）、ＭＢＳＦＮ参照信号（MBSFN reference signals）、ＵＥ固有参照信号（UE-specific reference signals）であるデータ復調用参照信号（Demodulation Reference Signal：ＤＭ−ＲＳ）、位置決定参照信号（Positioning Reference Signals：ＰＲＳ）、チャネル情報参照信号（Channel-State Information Reference Signals：ＣＳＩ−ＲＳ）。移動端末の物理レイヤの測定として、リファレンスシグナルの受信電力（Reference Signal Received Power：ＲＳＲＰ）測定がある。
【００２７】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。
【００２８】
図５（Ａ）に示す下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。
【００２９】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。
【００３０】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００３１】
マルチキャストチャネル（Multicast Channel：ＭＣＨ）は、基地局（セル）のカバレッジ全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００３２】
図５（Ｂ）に示す上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００３３】
図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００３４】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００３５】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００３６】
ＨＡＲＱ方式の一例として、チェースコンバイニング（Chase Combining）がある。チェースコンバイニングとは、初送と再送とにおいて、同じデータを送信するものであり、再送において初送のデータと再送のデータとの合成を行うことで、利得を向上させる方式である。チェースコンバイニングは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組合せて冗長度を増加させ、誤り訂正機能により品質を向上させるものである。
【００３７】
非特許文献１（６章）に記載される論理チャネル（ロジカルチャネル：Logical channel）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。
【００３８】
報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００３９】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００４０】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００４１】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００４２】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００４３】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００４４】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００４５】
ＣＧＩとは、セルグローバル識別子（Cell Global Identification）のことである。ＥＣＧＩとは、Ｅ−ＵＴＲＡＮセルグローバル識別子（E-UTRAN Cell Global Identification）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。ＣＳＧセルについて以下に説明する（非特許文献３  ３．１章参照）。
【００４６】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。
【００４７】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００４８】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００４９】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００５０】
ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されることもあるリストである。ＣＳＧホワイトリストは、単にホワイトリスト、あるいは許可ＣＳＧリスト（Allowed CSG List）と呼ばれることもある。ＣＳＧセルを通しての移動端末のアクセスは、ＭＭＥがアクセスコントロール（access control）を実行する（非特許文献４  ４．３．１．２章参照）。移動端末のアクセスの具体例としては、アタッチ（attach）、コンバインドアタッチ（combined attach）、デタッチ（detach）、サービスリクエスト（service request）、トラッキングエリアアップデートプロシジャー（Tracking Area Update procedure）などがある（非特許文献４  ４．３．１．２章参照）。
【００５１】
待受け状態の移動端末のサービスタイプについて以下に説明する（非特許文献３  ４．３章参照）。待受け状態の移動端末のサービスタイプとしては、制限されたサービス（Limited service、限られたサービスとも称される）、標準サービス（ノーマルサービス（Normal service））、オペレータサービス（Operator service）がある。制限されたサービスとは、後述のアクセプタブルセル上の緊急呼（Emergency calls）、ＥＴＷＳ（Earthquake and Tsunami Warning System）、ＣＭＡＳ（Commercial Mobile Alert System）である。標準サービス（通常サービスとも称される）とは、後述の適切なセル上の公共のサービスである。オペレータサービスとは、後述のリザーブセル上のオペレータのためのみのサービスである。
【００５２】
「適切なセル（Suitable cell）」について以下に説明する。「適切なセル（Suitable cell）」とは、ＵＥが通常（normal）サービスを受けるためにキャンプオン（Camp ON）するかもしれないセルである。そのようなセルは、以下の（１），（２）の条件を満たすものとする。
【００５３】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。
【００５４】
（２）ＮＡＳ（Non-Access Stratum）によって提供された最新情報にて、さらに以下の（ａ）〜（ｄ）の条件を満たすこと。
（ａ）そのセルが禁じられた（barred）セルでないこと。
（ｂ）そのセルが「ローミングのための禁止されたＬＡｓ」リストの一部でないトラッキングエリア（Tracking Area）の一部であること。その場合、そのセルは前記（１）を満たす必要がある。
（ｃ）そのセルが、セル選択評価基準を満たしていること。
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること、すなわちＵＥのCSG WhiteList中に含まれること。
【００５５】
「アクセプタブルセル（Acceptable cell）」について以下に説明する。「アクセプタブルセル（Acceptable cell）」とは、ＵＥが制限されたサービスを受けるためにキャンプオンするかもしれないセルである。そのようなセルは、以下の（１），（２）のすべての要件を充足するものとする。
【００５６】
（１）そのセルが禁じられたセル（「バードセル（Barred cell）」とも称される）でないこと。
（２）そのセルが、セル選択評価基準を満たしていること。
【００５７】
「バードセル（Barred cell）」は、システム情報で指示がある。「リザーブセル（Reserved cell）」は、システム情報で指示がある。
【００５８】
「セルにキャンプオン（camp on）する」とは、ＵＥがセル選択（cell selection）またはセル再選択（cell reselection）の処理を完了し、ＵＥがシステム情報とページング情報とをモニタするセルを選択した状態になることをいう。ＵＥがキャンプオンするセルを「サービングセル（Serving cell）」と称することがある。
【００５９】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献５には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。
【００６０】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。
【００６１】
３ＧＰＰでは、全ＰＣＩ（Physical Cell Identity）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。
【００６２】
非特許文献６は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００６３】
また３ＧＰＰでは、リリース１０として、ロングタームエボリューションアドヴァンスド（Long Term Evolution Advanced：ＬＴＥ−Ａ）の規格策定が進められている（非特許文献７、非特許文献８参照）。
【００６４】
ＬＴＥ−Ａシステムでは、高い通信速度、セルエッジでの高いスループット、新たなカバレッジエリアなどを得るために、リレー（Relay）およびリレーノード（Relay Node：ＲＮ）をサポートすることが検討されている。中継装置であるリレーノードは、ドナーセル（Donor cell、以下「ドナーｅＮＢ（Donor eNB；ＤｅＮＢ）」という場合がある）と呼ばれるセルを介して、無線アクセスネットワークに無線で接続される。ドナーセルの範囲内で、ネットワーク（Network：ＮＷ）からリレーノードへのリンクは、ネットワークからＵＥへのリンクと同じ周波数帯域（周波数バンド（band））を共用する。この場合、３ＧＰＰのリリース８対応のＵＥも該ドナーセルに接続可能とする。ドナーセルとリレーノードとの間のリンクをバックホールリンク（backhaul link）と称し、リレーノードとＵＥとの間のリンクをアクセスリンク（access link）と称する。
【００６５】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。
【００６６】
３ＧＰＰでは、通常のｅＮＢ（マクロセル）だけでなく、ピコｅＮＢ（ピコセル（pico cell））、ＨｅＮＢ（ＨＮＢ、ＣＳＧセル）、ホットゾーンセル用のノード、リレーノード、リモートラジオヘッド（Remote Radio Head：ＲＲＨ）、リピータなどのいわゆるローカルノードが検討されている。前述のような各種タイプのセルからなるネットワークは、異機種ネットワーク（heterogeneous network、ヘットネット）と称されることもある。
【００６７】
ＬＴＥでは、通信に使用可能な周波数バンド（以下「オペレーティングバンド」という場合がある）が予め決められている。非特許文献９には、該周波数バンドが記載されている。
【００６８】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。
【００６９】
ＬＴＥ対応である、３ＧＰＰのリリース８または９対応のＵＥは、一つのサービングセルに相当する一つのＣＣ上のみで送受信可能である。これに対して、３ＧＰＰのリリース１０対応のＵＥは、複数のサービングセルに相当する複数のＣＣ上で同時に送受信、あるいは受信のみ、あるいは送信のみをするための能力（ケーパビリティ、capability）を有することが考えられている。
【００７０】
各ＣＣは、３ＧＰＰのリリース８または９の構成を用いており、ＣＡは、連続ＣＣ、非連続ＣＣ、および異なる周波数帯域幅のＣＣをサポートする。ＵＥが下りリンクのＣＣ（ＤＬ  ＣＣ）の個数以上の個数の、上りリンクのＣＣ（ＵＬ  ＣＣ）を構成することは不可能である。同一ｅＮＢから構成されるＣＣは、同じカバレッジを提供する必要は無い。ＣＣは、３ＧＰＰのリリース８または９と互換性を有する。
【００７１】
ＣＡにおいて、上りリンク、下りリンクともに、サービングセル毎に一つの独立したＨＡＲＱエンティティがある。トランスポートブロックは、サービングセル毎にＴＴＩ毎に生成される。各トランスポートブロックとＨＡＲＱ再送とは、シングルサービングセルにマッピングされる。
【００７２】
ＣＡが構成される場合、ＵＥはＮＷと唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００７３】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００７４】
一つのＵＥに対して、一つのＰＣｅｌｌと、一つ以上のＳＣｅｌｌからなるサービングセルとの組が構成される。
【００７５】
３ＧＰＰにおいて、さらに進んだ新たな無線区間の通信方式として、前述のＬＴＥアドヴァンスド（LTE Advanced：ＬＴＥ−Ａ）が検討されている（非特許文献７および非特許文献８参照）。ＬＴＥ−Ａは、ＬＴＥの無線区間通信方式を基本とし、それにいくつかの新技術を加えて構成される。新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献１０に記載されている。
【００７６】
ＣｏＭＰとは、地理的に分離された多地点間で協調した送信あるいは受信を行うことによって、高いデータレートのカバレッジの拡大、セルエッジでのスループットの向上、および通信システムにおけるスループットの増大を図る技術である。ＣｏＭＰには、下りＣｏＭＰ（ＤＬ  ＣｏＭＰ）と、上りＣｏＭＰ（ＵＬ  ＣｏＭＰ）とがある。
【００７７】
ＤＬ  ＣｏＭＰでは、一つの移動端末（ＵＥ）へのＰＤＳＣＨを多地点（マルチポイント）間で協調して送信する。一つのＵＥへのＰＤＳＣＨを、マルチポイントの一つのポイントから送信してもよいし、マルチポイントの複数のポイントから送信してもよい。ＤＬ  ＣｏＭＰにおいて、サービングセルとは、ＰＤＣＣＨによってリソース割当を送信する単独のセルである。
【００７８】
ＤＬ  ＣｏＭＰの方法として、結合処理（Joint Processing：ＪＰ）と、協調スケジューリング（Coordinated Scheduling：ＣＳ）または協調ビームフォーミング（Coordinated Beamforming：ＣＢ）（以下「ＣＳ／ＣＢ」という場合がある）とが検討されている。
【００７９】
ＪＰは、ＣｏＭＰコオペレーティングセット（CoMP cooperating set）中のそれぞれのポイントでデータが利用可能である。ＪＰには、結合送信（Joint Transmission：ＪＴ）と、動的ポイント選択（Dynamic Point Selection：ＤＰＳ）とがある。ＤＰＳは、動的セル選択（Dynamic Cell Selection：ＤＣＳ）を含む。ＪＴでは、ある時点で複数のポイント、具体的にはＣｏＭＰコオペレーティングセット（CoMP cooperating set）の一部あるいは全部から、ＰＤＳＣＨの送信が行われる。ＤＰＳでは、ある時点でＣｏＭＰコオペレーティングセット内の１つのポイントから、ＰＤＳＣＨの送信が行われる。
【００８０】
ＣＳ／ＣＢは、サービングセルからのデータ送信でのみ利用可能である。ＣＳ／ＣＢでは、ＣｏＭＰコオペレーティングセットに対応するセル間での調整と併せて、ユーザスケジューリングまたはビームフォーミングの決定がなされる。
【００８１】
マルチポイントで送受信するポイントとしてユニットおよびセルが、ユニットおよびセルとして基地局（NB、eNB、HNB、HeNB）、ＲＲＵ（Remote Radio Unit）、ＲＲＥ（Remote Radio Equipment）、ＲＲＨ（Remote Radio Head）、リレーノード（Relay Node：ＲＮ）などが検討されている。多地点協調送信を行うユニットおよびセルを、それぞれマルチポイントユニット、マルチポイントセルと称する場合がある。
【００８２】
３ＧＰＰにおいて、リリース１２版の規格書の策定が進められている。この中で、将来の膨大なトラフィックに対応するために、スモールｅＮＢ（以下「スモールセル」という場合がある）を用いた検討がなされている。例えば、多数のスモールｅＮＢ（スモールセル）を設置することによって周波数利用効率を高めて、通信容量の増大を図る技術などが検討されている。
【先行技術文献】
【非特許文献】
【００８３】
【非特許文献１】３ＧＰＰ  ＴＳ３６．３００  Ｖ１１．４．０
【非特許文献２】３ＧＰＰ  ＴＳ３６．３３１  Ｖ１１．０．０
【非特許文献３】３ＧＰＰ  ＴＳ３６．３０４  Ｖ１１．１．０  ３．１章、４．３章、５．２．４章
【非特許文献４】３ＧＰＰ  ＴＲ  ２３．８３０  Ｖ９．０．０
【非特許文献５】３ＧＰＰ  Ｓ１−０８３４６１
【非特許文献６】３ＧＰＰ  Ｒ２−０８２８９９
【非特許文献７】３ＧＰＰ  ＴＲ  ３６．８１４  Ｖ９．０．０
【非特許文献８】３ＧＰＰ  ＴＲ  ３６．９１２  Ｖ１０．０．０
【非特許文献９】３ＧＰＰ  ＴＳ  ３６．１０１  Ｖ１１．０．０
【非特許文献１０】３ＧＰＰ  ＴＲ  ３６．８１９  Ｖ１１．１．０
【発明の概要】
【発明が解決しようとする課題】
【００８４】
スモールセルの設置場所としては、マクロｅＮＢ（以下「マクロセル」という場合がある）が構成するカバレッジ（以下「マクロセルのカバレッジ」という場合がある）内と、マクロセルのカバレッジ外とがともに検討されている。また、スモールセルは、数多く設置することが検討されている。
【００８５】
スモールセル毎に、設置場所などを考慮して、従来通りにオペレータが運用管理を行うことになると、オペレータの作業が煩雑になるという問題が生じる。
【００８６】
ここで、３ＧＰＰでは、スモールセルクラスタについて議論されているが、スモールセルクラスタを導入した場合の消費電力低減（Energy Saving：ＥＳ）動作については議論されていない。
【００８７】
本発明の目的は、セルクラスタを導入した場合などにおいてＥＳ動作を実現可能な通信システムを提供することである。
【課題を解決するための手段】
【００８８】
本発明の通信システムは、通信端末装置と、前記通信端末装置と無線通信可能な複数のセルを構成する少なくとも１つの基地局装置と、前記複数のセルを制御するエンティティとを備え、前記複数のセルのそれぞれは、通常動作と消費電力低減動作とを切替え可能に構成され、所定のセルクラスタに属し、前記エンティティは、前記複数のセルの前記通常動作と前記消費電力低減動作との切り替えを制御する。
【００８９】
また、本発明の通信システムは、通信端末装置と、前記通信端末装置と無線通信可能な複数のセルを構成する少なくとも１つの基地局装置と、前記複数のセルを制御するエンティティとを備え、前記複数のセルのそれぞれは、通常動作と消費電力低減動作とを切替え可能に構成され、前記エンティティは、前記通信端末装置の移動先のセルを、前記通信端末装置が該セル内へ移動する前に、前記通常動作に移行するように制御する。
【発明の効果】
【００９０】
本発明の通信システムによれば、セルクラスタを導入した場合などにおいてＥＳ動作を実現することができる。
【００９１】
この発明の目的、特徴、局面、および利点は、以下の詳細な説明と添付図面とによって、より明白となる。
【図面の簡単な説明】
【００９２】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】３ＧＰＰにおいて議論されているＬＴＥ方式の通信システムの全体的な構成を示すブロック図である。
【図８】本発明に係る移動端末である図７に示す移動端末７１の構成を示すブロック図である。
【図９】本発明に係る基地局である図７に示す基地局７２の構成を示すブロック図である。
【図１０】本発明に係るＭＭＥである図７に示すＭＭＥ部７３の構成を示すブロック図である。
【図１１】本発明に係るＨｅＮＢＧＷである図７に示すＨｅＮＢＧＷ７４の構成を示すブロック図である。
【図１２】ＬＴＥ方式の通信システムにおいて移動端末（ＵＥ）が行うセルサーチから待ち受け動作までの概略を示すフローチャートである。
【図１３】従来のセルの構成の概念を示す図である。
【図１４】小セル化を行った場合のセルの構成の概念を示す図である。
【図１５】マクロｅＮＢ（マクロセル）とスモールｅＮＢ（スモールセル）とが混在する場合のセルの構成の概念を示す図である。
【図１６】実施の形態１における通信システムのシーケンスの一例を示す図である。
【図１７】実施の形態１における通信システムのシーケンスの一例を示す図である。
【図１８】実施の形態２における通信システムのシーケンスの一例を示す図である。
【図１９】実施の形態２における通信システムのシーケンスの一例を示す図である。
【図２０】実施の形態２における通信システムのシーケンスの他の例を示す図である。
【図２１】実施の形態２における通信システムのシーケンスの他の例を示す図である。
【図２２】実施の形態２の変形例１における通信システムのシーケンスの一例を示す図である。
【図２３】実施の形態２の変形例１における通信システムのシーケンスの一例を示す図である。
【図２４】実施の形態２の変形例１における通信システムのシーケンスの他の例を示す図である。
【図２５】実施の形態２の変形例１における通信システムのシーケンスの他の例を示す図である。
【図２６】実施の形態２の変形例３の解決策の概念を説明するための図である。
【発明を実施するための形態】
【００９３】
実施の形態１．
図７は、３ＧＰＰにおいて議論されているＬＴＥ方式の通信システムの全体的な構成を示すブロック図である。３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１章参照）。
【００９４】
図７について説明する。通信端末装置である移動端末装置（以下「移動端末（User Equipment：ＵＥ）」という）７１は、基地局装置（以下「基地局」という）７２と無線通信可能であり、無線通信で信号の送受信を行う。基地局７２は、ｅＮＢ７２−１と、Ｈｏｍｅ−ｅＮＢ７２−２とに分類される。
【００９５】
ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７２−１とＭＭＥ部７３との間で制御情報が通信される。一つのｅＮＢ７２−１に対して、複数のＭＭＥ部７３が接続されてもよい。ＭＭＥ部７３は、コアネットワークであるＥＰＣに含まれる。ｅＮＢ７２−１間は、Ｘ２インタフェースにより接続され、ｅＮＢ７２−１間で制御情報が通信される。
【００９６】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。一つのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＮＢＧＷ７４とは、Ｓ１インタフェースにより接続され、ＨｅＮＢＧＷ７４とＭＭＥ部７３とはＳ１インタフェースを介して接続される。
【００９７】
一つまたは複数のＨｏｍｅ−ｅＮＢ７２−２が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００９８】
ＭＭＥ部７３およびＨｅＮＢＧＷ７４は、上位ノード装置であり、基地局であるｅＮＢ７２−１およびＨｏｍｅ−ｅＮＢ７２−２と、移動端末（ＵＥ）７１との接続を制御する。ＭＭＥ部７３およびＨｅＮＢＧＷ７４は、コアネットワークであるＥＰＣに含まれる。
【００９９】
さらに３ＧＰＰでは、以下のような構成が検討されている。Ｈｏｍｅ−ｅＮＢ７２−２間のＸ２インタフェースはサポートされる。すなわち、Ｈｏｍｅ−ｅＮＢ７２−２間は、Ｘ２インタフェースにより接続され、Ｈｏｍｅ−ｅＮＢ７２−２間で制御情報が通信される。ＭＭＥ部７３からは、ＨｅＮＢＧＷ７４はＨｏｍｅ−ｅＮＢ７２−２として見える。Ｈｏｍｅ−ｅＮＢ７２−２からは、ＨｅＮＢＧＷ７４はＭＭＥ部７３として見える。
【０１００】
Ｈｏｍｅ−ｅＮＢ７２−２が、ＨｅＮＢＧＷ７４を介してＭＭＥ部７３に接続される場合および直接ＭＭＥ部７３に接続される場合のいずれの場合も、Ｈｏｍｅ−ｅＮＢ７２−２とＭＭＥ部７３との間のインタフェースは、Ｓ１インタフェースで同じである。ＨｅＮＢＧＷ７４は、複数のＭＭＥ部７３にまたがるような、Ｈｏｍｅ−ｅＮＢ７２−２へのモビリティ、あるいはＨｏｍｅ−ｅＮＢ７２−２からのモビリティはサポートしない。Ｈｏｍｅ−ｅＮＢ７２−２は、唯一のセルを構成する。
【０１０１】
基地局装置は、例えばＨｏｍｅ−ｅＮＢ７２−２のように唯一のセルを構成するが、これに限定されず、複数のセルを構成してもよい。セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【０１０２】
図８は、本発明に係る移動端末である図７に示す移動端末７１の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【０１０３】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【０１０４】
図９は、本発明に係る基地局である図７に示す基地局７２の構成を示すブロック図である。図９に示す基地局７２の送信処理を説明する。ＥＰＣ通信部９０１は、基地局７２とＥＰＣ（ＭＭＥ部７３、ＨｅＮＢＧＷ７４など）との間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【０１０５】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【０１０６】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、各部９０１〜９１０と接続している。
【０１０７】
３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続すると、同時に別のＨｅＮＢＧＷ７４および別のＭＭＥ部７３に接続しない。
【０１０８】
Ｈｏｍｅ−ｅＮＢ７２−２のＴＡＣ（Tracking Area Code）とＰＬＭＮ  ＩＤは、ＨｅＮＢＧＷ７４によってサポートされる。Ｈｏｍｅ−ｅＮＢ７２−２がＨｅＮＢＧＷ７４に接続されると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【０１０９】
図１０は、本発明に係るＭＭＥの構成を示すブロック図である。図１０では、前述の図７に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【０１１０】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【０１１１】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【０１１２】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１は、ＮＡＳ（Non-Access Stratum）メッセージのセキュリティなどを行う。ＳＡＥベアラコントロール部１００５―２は、ＳＡＥ（System Architecture Evolution）のベアラの管理などを行う。アイドルステートモビリティ管理部１００５―３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【０１１３】
ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７２−２のＣＳＧの管理およびＣＳＧ−ＩＤの管理、そしてホワイトリスト管理は、アイドルステートモビリティ管理部１００５―３で行われてもよい。
【０１１４】
ＣＳＧ−ＩＤの管理では、ＣＳＧ−ＩＤに対応する移動端末とＣＳＧセルとの関係が管理（例えば追加、削除、更新、検索）される。この関係は、例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（例えば追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ７３ａの中の他の部分で行われてもよい。ＭＭＥ７３ａの一連の処理は、制御部１００６によって制御される。よって制御部１００６は、図１０では省略しているが、各部１００１〜１００５と接続している。
【０１１５】
３ＧＰＰにおいて議論されているＭＭＥ７３ａの機能を以下に示す（非特許文献１  ４．６．２章参照）。ＭＭＥ７３ａは、ＣＳＧ（Closed Subscriber Group）のメンバーの１つあるいは複数の移動端末のアクセスコントロールを行う。ＭＭＥ７３ａは、ページングの最適化（Paging optimization）の実行をオプションとして認める。
【０１１６】
図１１は、本発明に係るＨｅＮＢＧＷである図７に示すＨｅＮＢＧＷ７４の構成を示すブロック図である。ＥＰＣ通信部１１０１は、ＨｅＮＢＧＷ７４とＭＭＥ７３ａとの間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ７３ａからのデータのうちレジストレーション情報などを、複数のＨｏｍｅ−ｅＮＢ７２−２に送信する処理を行う。ロケーション処理部１１０３で処理されたデータは、基地局通信部１１０２に渡され、一つまたは複数のＨｏｍｅ−ｅＮＢ７２−２にＳ１インタフェースを介して送信される。
【０１１７】
ロケーション処理部１１０３での処理を必要とせず通過（透過）させるだけのデータは、ＥＰＣ通信部１１０１から基地局通信部１１０２に渡され、一つまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【０１１８】
３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ７３ａの手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ７３ａとの間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【０１１９】
次に通信システムにおけるセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。
【０１２０】
Ｐ−ＳＳとＳ−ＳＳとを合わせて、同期信号（ＳＳ）という。同期信号（ＳＳ）には、セル毎に割り当てられたＰＣＩ（Physical Cell Identity）に１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【０１２１】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【０１２２】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【０１２３】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【０１２４】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【０１２５】
次にステップＳＴ１２０６で、移動端末は、ステップＳＴ１２０５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアの識別子であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【０１２６】
移動端末は、ステップＳＴ１２０６で比較した結果、ステップＳＴ１２０５で受信したＴＡＣがトラッキングエリアリスト内に含まれるＴＡＣと同じならば、該セルで待ち受け動作に入る。比較して、ステップＳＴ１２０５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【０１２７】
コアネットワークは、ＴＡＵ要求信号とともに移動端末から送られてくる該移動端末の識別番号（ＵＥ−ＩＤなど）をもとに、トラッキングエリアリストの更新を行う。コアネットワークは、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【０１２８】
ＬＴＥ、ＬＴＥ−ＡおよびＵＭＴＳ（Universal Mobile Telecommunication System）においては、ＣＳＧ（Closed Subscriber Group）セルの導入が検討されている。前述したように、ＣＳＧセルに登録した一つまたは複数の移動端末のみにアクセスが許される。ＣＳＧセルと登録された一つまたは複数の移動端末とが一つのＣＳＧを構成する。このように構成されたＣＳＧには、ＣＳＧ−ＩＤと呼ばれる固有の識別番号が付される。一つのＣＳＧには、複数のＣＳＧセルがあってもよい。移動端末は、どれか一つのＣＳＧセルに登録すれば、そのＣＳＧセルが属するＣＳＧの他のＣＳＧセルにアクセス可能となる。
【０１２９】
また、ＬＴＥおよびＬＴＥ−ＡでのＨｏｍｅ−ｅＮＢ、ならびにＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）またはＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＥＣＧＩとが対応付けられていれば、ＥＣＧＩでもよい。
【０１３０】
以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【０１３１】
ＨｅＮＢおよびＨＮＢに対しては、様々なサービスへの対応が求められている。例えば、あるサービスでは、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する。
【０１３２】
このようなサービスを実現するために、登録した（加入した、メンバーとなった）移動端末のみがアクセスできるＣＳＧ（Closed Subscriber Group）セルが導入されている。ＣＳＧ（Closed Subscriber Group）セルは、商店街、マンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。
【０１３３】
ＨｅＮＢ／ＨＮＢは、マクロセルのカバレッジ外での通信を補完するため（エリア補完型ＨｅＮＢ／ＨＮＢ）だけでなく、上述したような様々なサービスへの対応（サービス提供型ＨｅＮＢ／ＨＮＢ）が求められている。このため、ＨｅＮＢ／ＨＮＢがマクロセルのカバレッジ内に設置される場合も生じる。
【０１３４】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【０１３５】
図１３は、従来のセルの構成の概念を示す図である。マクロｅＮＢ（マクロセル）は、比較的広い範囲のカバレッジ１３０１を構成する。従来は、複数のマクロｅＮＢ（マクロセル）による比較的広い範囲のカバレッジによって、あるエリアを覆うようにしている。
【０１３６】
図１４は、小セル化を行った場合のセルの構成の概念を示す図である。スモールｅＮＢ（スモールセル）は、マクロｅＮＢ（マクロセル）のカバレッジ１３０１に比べて範囲が狭いカバレッジ１３０２を構成する。したがって、従来と同様に、あるエリアを覆うためには、マクロｅＮＢ（マクロセル）に比べて、多数のスモールｅＮＢ（スモールセル）が必要となる。
【０１３７】
図１５は、マクロｅＮＢ（マクロセル）とスモールｅＮＢ（スモールセル）とが混在する場合のセルの構成の概念を示す図である。マクロｅＮＢ（マクロセル）は、比較的広い範囲のカバレッジ１３０３を構成する。スモールｅＮＢ（スモールセル）は、マクロｅＮＢ（マクロセル）のカバレッジ１３０３に比べて範囲が狭いカバレッジ１３０４を構成する。図１５では、あるｅＮＢ（セル）のカバレッジが、他のｅＮＢ（セル）のカバレッジ内に含まれる場合も存在する。
【０１３８】
図１５に示すセルの構成では、マクロｅＮＢ（マクロセル）のカバレッジ１３０３と、スモールｅＮＢ（スモールセル）のカバレッジ１３０４とが複雑に重複するような場合が生じる。また、マクロｅＮＢ（マクロセル）のカバレッジ１３０３と、スモールｅＮＢ（スモールセル）のカバレッジ１３０７とが重複しない場合も生じる。さらには、多数のスモールｅＮＢ（スモールセル）が一つのマクロｅＮＢ（マクロセル）のカバレッジ内に構成されるような場合も生じる。
【０１３９】
実施の形態１で解決する課題について、図１５を用いて以下に説明する。スモールセルの設置場所としては、例えばスモールセル１３０５のように、マクロｅＮＢ（マクロセル）が構成するカバレッジ１３０３内と、例えばスモールセル１３０６のように、マクロセルのカバレッジ１３０３外とがともに検討されている。
【０１４０】
ここで、マクロセルとは、比較的広い範囲のカバレッジを構成するセル、すなわちカバレッジエリアが比較的広いセルのことであり、マクロｅＮＢとは、マクロセルを構成するｅＮＢのことである。マクロｅＮＢは、例えば「Wide Area Base Station」（３ＧＰＰ  ＴＳ  ３６．１４１  Ｖ１１．１．０（以下「非特許文献１１」という）参照）であってもよい。マクロｅＮＢは、大規模基地局装置に相当する。
【０１４１】
スモールセルとは、比較的狭い範囲のカバレッジを構成するセル、すなわちカバレッジエリアが比較的狭いセルのことであり、スモールｅＮＢとは、スモールセルを構成するｅＮＢのことである。スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ、ＲＲＵ、ＲＲＥ、ＲＮであってもよい。また、スモールｅＮＢは、「Local Area Base Station」、「Home Base Station」（非特許文献１１参照）であってもよい。スモールｅＮＢは、小規模基地局装置に相当する。
【０１４２】
スモールセルの動作モードとしては、マクロセルと同様の動作を行うスタンドアローン（Standalone）モードと、マクロセルに付随、またはマクロセルと協調して動作を行うマクロサポートモードとがともに検討されている。マクロサポートモードの具体例として、以下の（１），（２）の２つを開示する。
【０１４３】
（１）３ＧＰＰにおいて、複数のＲＲＣ接続（RRC connection）を確立せずに複数のセルを用いて通信を行う方法として、制御／ユーザデータプレイン分離（C/U plane split）、およびマルチストリームが提案されている（３ＧＰＰ  ＲＷＳ-１２００１０（以下「非特許文献１２」という）、３ＧＰＰ  ＲＷＳ-１２０００６（以下「非特許文献１３」という）参照）。制御／ユーザデータプレイン分離（C/U plane split）時に、制御プレイン（C plane）をマクロセルが送受信し、ユーザデータプレイン（U plane）をスモールセルが送受信することが考えられる。
【０１４４】
（２）３ＧＰＰにおいて、追加のキャリアタイプ（additional carrier type）が議論されている（３ＧＰＰ  ＲＡＮ１  ６６ＢＩＳ会合レポート（以下「非特許文献１４」という）参照）。以下、追加のキャリアタイプのことを、新たなキャリアタイプ（New Carrier Type：ＮＣＴ）と称することがある。スモールセルがＮＣＴを構成することが考えられている。
【０１４５】
スモールセルは、数多く設置されることが予想される。この数多くのスモールセルの設定は、何の工夫もしなければ、スモールセル毎に、設置場所、またはスモールセルがサポートしているモードを考慮して、オペレータが行う必要がある。したがって、スモールセルを設置するときに、オペレータによる運用管理が煩雑になるという課題が生じる。
【０１４６】
実施の形態１での解決策を以下に示す。設置されたスモールセルは、既に設置されているネットワーク機器に、自セルの能力（Capability）を通知する。設置されたスモールセルから該スモールセルの能力を受信したネットワーク機器は、該スモールセルの能力に適した設定を該スモールセルに対して実行する。ネットワーク機器は、受信したスモールセルの能力に基づいて、該スモールセルの能力に適した設定パラメータを選択することによって、該スモールセルの能力に適した設定を実行してもよい。ネットワーク機器は、ネットワーク装置に相当する。
【０１４７】
この実施の形態１での解決策によって、オペレータが、スモールセルが設置される度に、スモールセル毎に、設置場所、またはスモールセルがサポートしているモードを考慮して、スモールセルの設定を行う必要がなくなる。したがって、スモールセルを設置するときに、オペレータによる運用管理が煩雑になることを回避することができる。
【０１４８】
実施の形態１での解決策を、以下に具体的に説明する。既に設置されているネットワーク機器の具体例として、以下の（１）〜（４）の４つを開示する。以下に示すＭＭＥ、ＯＡＭおよびＨｅＮＢＧＷは、上位装置に相当する。ここで、上位装置とは、基地局（ｅＮＢ）を基準として、コアネットワーク側にある装置をいう。
【０１４９】
（１）基地局（ｅＮＢ）。
（２）ＭＭＥ。
（３）ＯＡＭ（operation administration and maintenance）。
（４）ＨｅＮＢＧＷ。
【０１５０】
スモールセルは、自セルの能力をネットワーク機器に通知する場合、併せて自セルの設定を要求してもよい。すなわち、スモールセルは、ネットワーク機器に対して、自セルの能力を通知するとともに、自セルの動作モードの設定を要求してもよい。
【０１５１】
また、スモールセルは、自セルの能力をネットワーク機器に通知する代わりに、自セルの設定を要求してもよいし、自セルの動作モードの設定を要求してもよい。自セルの設定を要求する場合、併せて自セルの能力を通知してもよい。
【０１５２】
また、設置されたスモールセルは、自セルの能力を、周辺ｅＮＢ（周辺セル）、例えば、他のスモールセル、マクロセルに通知してもよい。スモールセルから能力の通知を受信した周辺ｅＮＢが他のスモールセルである場合、他のスモールセルは、前記通知の応答として、自セルの能力を通知してもよい。
【０１５３】
また、設置されたスモールセルは、所定の条件を満たす場合に、自セルの能力をネットワーク機器に通知し、所定の条件を満たさない場合には、自セルの能力をネットワーク機器に通知しないようにしてもよい。所定の条件の具体例として、以下の（１），（２）の２つを開示する。
【０１５４】
（１）所定の条件を、スモールセルが他のセルのカバレッジ内に設置されているか否かとする。スモールセルが他のセルのカバレッジ内に設置されている場合、スモールセルは、ネットワーク機器に自セルの能力を通知する。スモールセルが他のセルのカバレッジ内に設置されていない場合、スモールセルは、ネットワーク機器に自セルの能力を通知しない。スモールセルが他のセルのカバレッジ内に設置されていない場合には、併せて、スタンドアローンモードで動作を開始するようにしてもよい。これは、スモールセルが他のセルのカバレッジ内に設置されていないとマクロサポートモードでの動作が不可能であるような場合に適用すると効果的である。
【０１５５】
本具体例（１）のように、所定の条件を、スモールセルが他のセルのカバレッジ内に設置されるか否かとすることによって、スモールセルの設置場所に適した設定を、オペレータを介在させることなく、実行することができる。したがって、スモールセルを設置するときに、オペレータによる運用管理が煩雑になることを回避することができる。
【０１５６】
（２）所定の条件を、スモールセルがマクロセルのカバレッジ内に設置されているか否かとする。このように、スモールセルが自セルのカバレッジ内に設置されているマクロセルを「カバレッジマクロセル」と称する。スモールセルがマクロセルのカバレッジ内に設置されている場合、スモールセルは、ネットワーク機器に自セルの能力を通知する。スモールセルがマクロセルのカバレッジ内に設置されていない場合、スモールセルは、ネットワーク機器に自セルの能力を通知しない。スモールセルがマクロセルのカバレッジ内に設置されていない場合には、併せて、スタンドアローンモードで動作を開始するようにしてもよい。これは、スモールセルがマクロセルのカバレッジ内に設置されていないとマクロサポートモードでの動作が不可能であるような場合に適用すると効果的である。
【０１５７】
本具体例（２）のように、所定の条件を、スモールセルがマクロセルのカバレッジ内に設置されているか否かとすることによって、スモールセルの設置場所に適した設定を、オペレータを介在させることなく、実行することができる。したがって、スモールセルを設置するときに、オペレータによる運用管理が煩雑になることを回避することができる。
【０１５８】
スモールセルが、他のセルまたはマクロセルのカバレッジ内に設置されているか否かを判断する方法の具体例を、以下に開示する。スモールセルは、セルサーチ（周辺セルサーチ）を行い、所定の閾値以上の受信品質を持つセルが存在するか否かを判断する。受信品質の具体例としては、ＲＳの受信電力がある。スモールセルは、所定の閾値以上の受信品質を持つセルが存在すると判断した場合には、自セルが他のセルまたはマクロセルのカバレッジ内に設置されていると判断する。スモールセルは、所定の閾値以上の受信品質を持つセルが存在しないと判断した場合には、自セルが他のセルまたはマクロセルのカバレッジ内に設置されていないと判断する。
【０１５９】
前記所定の条件の具体例（２）において、スモールセルがマクロセルのカバレッジ内に設置されている場合、スモールセルは、カバレッジマクロセルに自セルの能力を通知するようにしてもよい。スモールセルがマクロサポートモードで動作する場合に、付随して動作するマクロセル、あるいは協調して動作するマクロセルが、カバレッジマクロセルとなる場合が考えられる。その場合、スモールセルがカバレッジマクロセルに自セルの能力を通知することは、マクロサポートモードで動作する場合の、例えば付随して動作するマクロセルに自セルの能力を通知することになる。該スモールセルの能力を受信した、マクロサポートモードで動作する場合の、例えば付随して動作するマクロセルは、該スモールセルの能力に適した設定を該スモールセルに対して実行することができる。これによって、スモールセルがマクロサポートモードで動作する場合の運用管理を更にスムーズにすることが可能な通信システムを実現することができる。
【０１６０】
以下の説明では、スモールセルが自セルの能力を通知する動作を「能力通知動作」という場合がある。
【０１６１】
スモールセルに対するカバレッジマクロセルが複数存在する場合の能力通知動作の具体例として、以下の（１）〜（４）の４つを開示する。
【０１６２】
（１）スモールセルのセルサーチによって取得した受信品質が最も高いカバレッジマクロセルに能力を通知する。
【０１６３】
（２）全てのカバレッジマクロセルに能力を通知する。この場合、能力を受信したカバレッジマクロセル間で、いずれのカバレッジマクロセルが該スモールセルの能力に適した設定を行うかを調整する。
【０１６４】
（３）上位装置からスモールセルに、能力通知先のカバレッジマクロセルの数を通知する。スモールセルは、該数以下のカバレッジマクロセルに能力を通知する。受信品質が高いカバレッジマクロセルから順に通知してもよい。
【０１６５】
（４）上位装置からスモールセルに、能力通知先のカバレッジマクロセルを通知する。スモールセルは、該カバレッジマクロセルに能力を通知する。
【０１６６】
スモールセルが、セルサーチの際に、対象のセルがマクロセルであるか否かを判断する方法の具体例を、以下に開示する。セルは、マクロセルであるか否かのインジケータを報知する。スモールセルは、セルサーチを行った結果、所定の閾値以上の受信品質を持つセルの報知情報を受信し、マクロセルであるか否かのインジケータを確認する。
【０１６７】
また、セルは、マクロサポートモードをサポートしているか否かのインジケータを報知してもよい。スモールセルは、セルサーチを行った結果、所定の閾値以上の受信品質を持つセルの報知情報を受信し、マクロセルサポートモードをサポートしているか否かのインジケータを確認する。本発明において、スモールセルが自セルのカバレッジ内に設置されており、更にマクロサポートモードをサポートしているマクロセルを「カバレッジマクロセル」としてもよい。スモールセルが自セルのカバレッジ内に設定されているマクロセルであっても、マクロサポートモードをサポートしていなければ、該スモールセルが付随して動作したり、協調して動作したりすることをサポートできないからである。
【０１６８】
スモールセルは、自セルの能力を表す能力情報、例えば自セルの能力を表す能力パラメータをネットワーク機器に通知することによって、自セルの能力をネットワーク機器に通知する。スモールセルがネットワーク機器に通知する自セルの能力（能力パラメータ）の具体例として、以下の（１）〜（７）の７つを開示する。
【０１６９】
（１）スモールセルである旨。これによって、オペレータを介在させることなく、既に設置されているネットワーク機器が、新たに設置されたセルがスモールセルであることを認識することが可能となる。
【０１７０】
（２）サポートするモードの情報。モードとしては、前記スタンドアローンモード、マクロサポートモードなどがある。マクロサポートモードには、（２−１）制御／ユーザデータプレイン分離（C/U plane split）モード、（２−２）ＮＣＴモードがある。前記（２−２）のＮＣＴモードの場合は、さらに以下の（２−２−１）〜（２−２−７）の７つの能力パラメータのいずれか、または全てを通知するとよい。（２−２−１）キャリアアグリゲーションが可能か否か。（２−２−２）スモールセルの無線リソースと、他セルの無線リソースの集約（「セルアグリゲーション」と称する）が可能か否か。（２−２−３）送受信可能な帯域幅。（２−２−４）送受信可能な周波数バンド。（２−２−５）サポート可能なＣＣ数、またはセル数。（２−２−６）送受信可能なキャリア周波数。（２−２−７）ＣＲＳのマッピング位置。本具体例（２）によって、オペレータを介在させることなく、既に設置されているネットワーク機器が、新たに設置されたスモールセルがサポートするモードに関する情報を取得することが可能となる。
【０１７１】
（３）自セルがセルサーチで検出したカバレッジセルのセル識別情報。セル識別情報の具体例としては、ＰＣＩ、セルグローバル識別子（Cell Global Identification：ＣＧＩ）などがある。本具体例（３）によって、オペレータを介在させることなく、既に設置されているネットワーク機器が、新たに設置されたスモールセルをマクロサポートモードで動作させる場合の、共に動作させるマクロセルの選択を容易に行うことができる。また、既に設置されているネットワーク機器が、スモールセルが実際に設置された場所の電波環境による情報を取得可能となることから、より適切なセルを、共に動作させるマクロセルとして選択することが可能となる。
【０１７２】
（４）前記（３）の受信品質。
（５）自セル設置場所情報（ロケーション情報）。
（６）送信パワー。基地局のランクであってもよい。これによって、オペレータを介在させることなく、既に設置されているネットワーク機器が、新たに設置されたスモールセルのカバレッジの大きさを予測することが可能となる。
（７）前記（１）〜（６）の組合せ。
【０１７３】
スモールセルからネットワーク機器への能力の通知に用いられるインタフェースの具体例として、以下の（１）〜（４）の４つを開示する。
【０１７４】
（１）ネットワーク機器が基地局である場合のインタフェースとしては、Ｘ２インタフェース、または、ＭＭＥ経由によるＳ１インタフェースがある。なお、スモールセルが、自セルの能力を周辺ｅＮＢ（周辺セル）に通知する場合も、同様のインタフェースを用いることができる。
（２）ネットワーク機器がＭＭＥである場合のインタフェースとしては、Ｓ１インタフェースがある。
（３）ネットワーク機器がＨｅＮＢＧＷである場合のインタフェースとしては、Ｓ１インタフェースがある。
（４）新たなインタフェースを設けてもよい。
【０１７５】
スモールセルからネットワーク機器への能力の通知にＸ２インタフェースを用いる場合の通知方法の具体例として、以下の（１），（２）の２つを開示する。
【０１７６】
（１）新たなシグナリングを設ける。
（２）既存のシグナリングである「X2  SETUP REQUEST」メッセージ（３ＧＰＰ  ＴＳ  ３６．４２３  Ｖ１１．３．０（以下「非特許文献１５」という）９．１．２．３章参照）に、新たにパラメータを追加して通知する。「X2  SETUP REQUEST」メッセージは、ｅＮＢから周辺のｅＮＢに初期情報を送信する場合に用いられるメッセージである。したがって、自セルの能力を「X2  SETUP REQUEST」メッセージで通知することによって、同様のパラメータを一度に送受信することが可能となる。これによって、通信システムが複雑化することを回避することができる。
【０１７７】
スモールセルからネットワーク機器への能力の通知にＳ１インタフェースを用いる場合の通知方法の具体例として、以下の（１），（２）の２つを開示する。
【０１７８】
（１）新たなシグナリングを設ける。
（２）既存のシグナリングである「S1  SETUP REQUEST」メッセージ（３ＧＰＰ  ＴＳ  ３６．４１３  Ｖ１１．２．０（以下「非特許文献１６」という）９．１．８．４章参照）に、新たにパラメータを追加して通知する。「S1  SETUP REQUEST」メッセージは、ｅＮＢからＭＭＥに初期情報を送信する場合に用いられるメッセージである。したがって、自セルの能力を「S1  SETUP REQUEST」メッセージで通知することによって、同様のパラメータを一度に送受信することが可能となる。これによって、通信システムが複雑化することを回避することができる。
【０１７９】
ネットワーク機器がスモールセルに対して、該スモールセルの能力に適した設定を行う場合の設定パラメータの具体例として、以下の（１）〜（５）の５つを開示する。
【０１８０】
（１）該スモールセルのサポートするモードから、適したモードを設定する。つまり、該スモールセルのサポートするモードから、該スモールセルの動作モードを選択し、設定する。具体例としては、スタンドアローンモード、またはマクロサポートモードの別を設定する。動作モードを選択する方法の具体例としては、カバレッジマクロセルの処理負荷が高い場合は、スタンドアローンモードを選択し、カバレッジマクロセルの処理負荷が低い場合は、マクロサポートモードを選択する。
【０１８１】
マクロサポートモードを設定する場合の設定パラメータの具体例として、以下の（１−１）〜（１−５）の５つを開示する。
【０１８２】
（１−１）マクロサポートモード中の動作モードの別。具体例としては、制御／ユーザデータプレイン分離（C/U plane split）モード、またはＮＣＴモードの別。スモールセルが、前記以外のマクロサポートモードをサポートしている場合は、該動作モードの別を選択し、設定してもよい。また、例えば制御／ユーザデータプレイン分離（C/U plane split）モードかつＮＣＴモードとの設定を可能としてもよい。
【０１８３】
（１−２）共に動作させるマクロセルの識別情報。共に動作させるマクロセルの具体例として、以下の（１−２−１），（１−２−２）の２つを開示する。
【０１８４】
（１−２−１）カバレッジマクロセル。あるいは、スモールセルのカバレッジマクロセルのうち、スモールセルの設置時のセルサーチで、受信品質が最も良好であったカバレッジマクロセル（「第一カバレッジマクロセル」とも称する）。
【０１８５】
（１−２−２）該ＵＥに対して該スモールセルのリソースのスケジューリングを行うセル（「スケジューリング主体のセル」と称することもある）。または、スモールセルに対して、クロスキャリアスケジューリングするスケジューリングを行うセル（「スケジューリング主体のセル」と称することもある）。または、スモールセルのリソースを用いて送受信するＵＥがＰＤＣＣＨをモニタするセル（「スケジューリング主体のセル」と称することもある）。
【０１８６】
マクロサポートモード中の動作モードが制御／ユーザデータプレイン分離（C/U plane split）モードの場合の共に動作させるマクロセルの具体例を以下に開示する。スモールセルがユーザデータプレインを送受信するＵＥに対して、制御プレインを送受信するセルを、共に動作させるマクロセルとする。このようなマクロセルとしては、カバレッジマクロセル、さらには第一カバレッジマクロセルが挙げられる。
【０１８７】
マクロサポートモード中の動作モードがＮＣＴモードの場合の共に動作させるマクロセルの具体例を、以下に開示する。ＵＥにおいてセルアグリゲーションされるセルのうち、該ＵＥに対して該スモールセルのリソースのスケジューリングを行うセル（「スケジューリング主体のセル」と称することもある）を、共に動作させるマクロセルとする。または、スモールセルに対して、クロスキャリアスケジューリングするスケジューリングを行うセル（「スケジューリング主体のセル」と称することもある）を、共に動作させるマクロセルとする。または、スモールセルのリソースを用いて送受信するＵＥがＰＤＣＣＨをモニタするセル（「スケジューリング主体のセル」と称することもある）を、共に動作させるマクロセルとする。
【０１８８】
スケジューリング主体のセルは、例えば、スモールセルのカバレッジマクロセルである。さらには、スケジューリング主体のセルは、第一カバレッジマクロセルである。
【０１８９】
（１−３）キャリア周波数。
（１−４）帯域幅。
（１−５）周波数バンド。
【０１９０】
（２）消費電力低減（Energy Saving：ＥＳ）ポリシー。詳細は、実施の形態２に開示する。
（３）カバレッジマクロセルのキャリア周波数。
【０１９１】
（４）スモールセルが属する集合（以下「スモールセルクラスタ」または「スモールセルグループ」という場合がある）の識別子。スモールセルが属するスモールセルクラスタは複数であっても構わない。また、スモールセルクラスタ内のスモールセルの番号を併せて通知してもよい。これによって、スモールセルを識別するための情報であるスモールセル識別情報として、ＰＣＩに加えて、「スモールセルの属するスモールセルクラスタの識別子」、または、「スモールセルクラスタの識別子とスモールセルクラスタ内のスモールセルの番号とを含む情報」を用いることができる。
【０１９２】
スモールセルは、小さい範囲に数多く設置することが可能である。ＰＣＩの種類は全部で５０４コードであり、有限であるので、スモールセルの導入前と比較して、スモールセルの導入後は、ＰＣＩの重複が懸念される。ＰＣＩが重複した場合は、ＣＧＩおよびＥＣＧＩを用いてセルを識別することも可能である。しかし、ＣＧＩおよびＥＣＧＩのビット数は大きいので、ＵＥとｅＮＢとの間などでＣＧＩおよびＥＣＧＩのやり取りを行うためには、ＰＣＩのやり取りを行う場合と比較して、多くの無線リソースを必要とするという問題がある。
【０１９３】
「ＰＣＩとスモールセルの属するスモールセルクラスタの識別子とを含む情報」、または、「ＰＣＩとスモールセルクラスタの識別子とスモールセルクラスタ内のスモールセルの番号とを含む情報」が、ＣＧＩおよびＥＣＧＩと比較して、必要なビット数が少ない場合、ＰＣＩが重複した場合のセル識別方法として、「ＰＣＩとスモールセルの属するスモールセルクラスタの識別子とを含む情報」、または、「ＰＣＩとスモールセルクラスタの識別子とスモールセルクラスタ内のスモールセルの番号とを含む情報」を用いることは、無線リソースを有効に活用するという観点で有効である。また、あわせて、同じスモールセルクラスタに属するスモールセルの識別情報を通知してもよい。
（５）前記（１）〜（４）の組合せ。
【０１９４】
スモールセルクラスタの具体例として、以下の（１）〜（５）の５つを開示する。
【０１９５】
（１）同じスケジューリング主体となるスモールセルの集合。同じ集中制御ノードとなるスモールセルの集合。例えば、セルアグリゲーションの際、およびＣｏＭＰの際に、同じ集中制御ノード、またはスケジューリング主体、コンセントレータによって制御されるスモールセルの集合。
（２）設置場所に応じたスモールセルの集合。ある特定のエリア内に設置されたスモールセルの集合。例えば、同じ駅構内に設置されたスモールセルの集合、または同じ学校内に設置されたスモールセルの集合。
（３）同じＥＳポリシーとなるスモールセルの集合。
（４）同じＣｏＭＰコオペレーティングセットに属するスモールセルの集合。
（５）同じ周波数レイヤに属するスモールセルの集合。
【０１９６】
ネットワーク機器からスモールセルへの設定の通知に用いられるインタフェースの具体例は、前述のスモールセルからネットワーク機器への能力の通知に用いられるインタフェースの具体例と同様であるので、説明を省略する。
【０１９７】
ネットワーク機器からスモールセルへの設定の通知にＸ２インタフェースを用いる場合の通知方法の具体例として、以下の（１），（２）の２つを開示する。
【０１９８】
（１）新たなシグナリングを設ける。
（２）既存のシグナリングである「X2  SETUP RESPONSE」メッセージ（非特許文献１５  ９．１．２．４章参照）に、新たにパラメータを追加して通知する。「X2 SETUP RESPONSE」メッセージは、ｅＮＢから周辺のｅＮＢに初期情報を送信する場合に用いられる応答メッセージである。したがって、スモールセルへの設定を「X2  SETUP RESPONSE」メッセージで通知することによって、通信システムが複雑化することを回避することができる。
【０１９９】
スモールセルからネットワーク機器への能力の通知にＳ１インタフェースを用いる場合の通知方法の具体例として、以下の（１），（２）の２つを開示する。
【０２００】
（１）新たなシグナリングを設ける。
（２）既存のシグナリングである「S1  SETUP RESPONSE」メッセージ（非特許文献１６  ９．１．８．５章参照）に、新たにパラメータを追加して通知する。「S1  SETUP RESPONSE」メッセージは、ｅＮＢからＭＭＥに初期情報を送信する場合に用いられる応答メッセージである。したがって、スモールセルへの設定を「S1  SETUP RESPONSE」メッセージで通知することによって、通信システムが複雑化することを回避することができる。
【０２０１】
ネットワーク機器から設定パラメータを受信した場合のスモールセルの動作の具体例として、以下の（１）〜（５）の５つを開示する。
【０２０２】
（１）設定されたモード、つまり設定された動作モードで動作を開始する。
（１−１）例えばスタンドアローンモードと設定された場合について説明する。この場合は、通常のセルと同様の動作を行う。
【０２０３】
（１−２）例えばマクロサポートモードと設定された場合について説明する。
（１−２−１）傘下のＵＥへマクロサポートモードで動作中である旨を通知する。例えば、傘下のＵＥに、キャンプオン不可能なセルであることを通知する。
【０２０４】
傘下のＵＥへの通知方法の具体例として、以下の（１−２−１−ａ），（１−２−１−ｂ）の２つを開示する。
【０２０５】
（１−２−１−ａ）報知情報で通知する。これによって、待ち受け状態（ＲＲＣ＿ＩＤＬＥ）のＵＥと、接続状態（ＲＲＣ＿ＣＯＮＮＥＣＴＥＤ）のＵＥとの双方が、該情報を受信することが可能となる。
【０２０６】
（１−２−１−ｂ）報知情報内の「cellBarred」を「barred」に変更する。このように、既存のパラメータを用いることによって、通信システムが複雑化することを回避することができる。また、後方互換性（backward compatibility：バックワードコンパチビリティ）に優れた通信システムを構築することが可能となる。
【０２０７】
（１−２−２）ＰＤＣＣＨの送信を行わない。
（１−２−３）ページングの送信を行わない。
【０２０８】
マクロサポートモード中の動作モードが制御／ユーザデータプレイン分離（C/U plane split）モードと設定された場合のスモールセルの動作の具体例を、以下に説明する。ユーザデータプレインセルとしての動作を開始する。すなわち、制御プレイン接続のためのＲＲＣプロトコル、ＰＤＣＰプロトコルおよびＲＬＣプロトコルの動作を停止させる。
【０２０９】
マクロサポートモード中の動作モードがＮＣＴモードと設定された場合のスモールセルの動作の具体例を、以下に説明する。通常のセルよりもＣＲＳのマッピング数を削減する。ＣＲＳをＮＣＴ時のマッピング位置で送信する。ＰＢＣＨおよびＭＩＢの送信を行わない。また、ＰＤＣＣＨの送信を行わない。また、ページングメッセージの送信を行わない。
【０２１０】
（２）設定されたＥＳポリシーで動作を開始する。
（３）カバレッジマクロセルのキャリア周波数が設定された場合、設定されたカバレッジマクロセルのキャリア周波数を、傘下のＵＥに通知する。このときの傘下のＵＥへの通知方法の具体例を以下に開示する。
【０２１１】
カバレッジマクロセルのキャリア周波数が、セル再選択時の優先順位の高い周波数であることを通知する。具体的には、ＲＲＣメッセージで通知する。「RRC Connection Release」メッセージで通知する。または、報知情報で通知する。報知情報中のシステム情報の「cell Reselection Priority」の高い周波数に設定する（非特許文献２  ５．２．４．１章、５．２．４．７章参照）。
【０２１２】
本具体例（３）のように、カバレッジマクロセルのキャリア周波数を傘下のＵＥに通知することによって、スモールセルがＥＳ動作に移行した場合に、スモールセルの傘下のＵＥが、カバレッジマクロセルを優先的に選択することができる。
【０２１３】
（４）設定パラメータを周辺セルに通知する。同じクラスタ内のスモールセルに設定パラメータを通知するようにしてもよい。周辺セルは、スモールセルが実行したセルサーチによって、所定の閾値以上の受信品質を持つセルと判断されたセルとしてもよい。設定パラメータの通知には、Ｘ２インタフェースを用いることができる。Ｘ２インタフェースを用いる場合の通知方法の具体例は、前述のスモールセルからネットワーク機器への能力の通知にＸ２インタフェースを用いる場合の通知方法の具体例と同様であるので、説明を省略する。
（５）前記（１）〜（４）の組合せ。
【０２１４】
次に、図１６および図１７を用いて、実施の形態１の解決策を用いた場合の通信システムのシーケンスの具体例を説明する。図１６および図１７は、実施の形態１における通信システムのシーケンスの一例を示す図である。図１６と図１７とは、境界線ＢＬ１の位置で、つながっている。
【０２１５】
ステップＳＴ１４０１において、スモールセルが設置される。ステップＳＴ１４０２において、スモールセルは、周辺セルサーチを実行する。
【０２１６】
ステップＳＴ１４０３において、スモールセルは、マクロセルのカバレッジ内に設置されているか否かを判断することによって、カバレッジマクロセルが有るか否かを判断する。スモールセルは、マクロセルのカバレッジ内に設置されていると判断した場合には、カバレッジマクロセルが有ると判断して、ステップＳＴ１４０４に移行する。スモールセルは、マクロセルのカバレッジ内に設置されていないと判断した場合には、カバレッジマクロセルが無いと判断して、ステップＳＴ１４１１に移行する。
【０２１７】
ステップＳＴ１４０４およびステップＳＴ１４０５において、スモールセルは、自セルの能力を、カバレッジマクロセルを含む周辺セルに通知する。具体的には、スモールセルは、自セルの能力を、ステップＳＴ１４０４において、カバレッジマクロセルに通知し、ステップＳＴ１４０５において、カバレッジマクロセル以外の周辺セルに通知する。
【０２１８】
ステップＳＴ１４０４でスモールセルの能力を受信したカバレッジマクロセルは、ステップＳＴ１４０６において、スモールセルの能力に適した設定を選択する。具体的には、カバレッジマクロセルは、スモールセルの能力に適した設定パラメータを選択する。
【０２１９】
ステップＳＴ１４０７において、カバレッジマクロセルは、ステップＳＴ１４０６で選択した設定パラメータをスモールセルに通知する。
【０２２０】
ステップＳＴ１４０８において、スモールセルは、ステップＳＴ１４０７で受信した設定パラメータの中に、カバレッジマクロセルのキャリア周波数が含まれているか否かを判断する。スモールセルは、設定パラメータの中にカバレッジマクロセルのキャリア周波数が含まれていると判断した場合には、ステップＳＴ１４０９に移行する。スモールセルは、設定パラメータの中にカバレッジマクロセルのキャリア周波数が含まれていないと判断した場合には、ステップＳＴ１４１０に移行する。
【０２２１】
ステップＳＴ１４０９において、スモールセルは、ステップＳＴ１４０７で受信した設定パラメータの中に含まれるカバレッジマクロセルのキャリア周波数を、傘下のＵＥに通知する。傘下のＵＥの受信方法の具体例として、以下の（１）〜（３）の３つを開示する。（１）カバレッジマクロセルのキャリア周波数がＲＲＣメッセージにマッピングされている場合、該ＲＲＣメッセージ受信時。（２）カバレッジマクロセルのキャリア周波数が報知情報にマッピングされている場合、セル選択、またはセル再選択時の報知情報受信時。（３）カバレッジマクロセルのキャリア周波数が報知情報にマッピングされている場合、システム情報の更新通知受信時。
【０２２２】
ステップＳＴ１４１０において、スモールセルは、ステップＳＴ１４０７で受信した設定パラメータに基づいて、スタンドアローン（Standalone）モードが設定されたか否かを判断する。スモールセルは、スタンドアローンモードが設定されたと判断した場合には、ステップＳＴ１４１１に移行する。スモールセルは、スタンドアローンモードが設定されていないと判断した場合には、ステップＳＴ１４１２に移行する。スモールセルは、スタンドアローンモードが設定されていないと判断した場合、マクロサポートモードが設定されたと判断して、ステップＳＴ１４１２に移行するようにしてもよい。
【０２２３】
ステップＳＴ１４１１において、スモールセルは、スタンドアローンモードで動作を開始する。
【０２２４】
ステップＳＴ１４１２において、スモールセルは、ステップＳＴ１４０７で受信した設定パラメータに基づいて、制御／ユーザデータプレイン分離（C/U plane split）モードが設定されたか否かを判断する。スモールセルは、制御／ユーザデータプレイン分離（C/U plane split）モードが設定されたと判断した場合には、ステップＳＴ１４１４に移行する。スモールセルは、制御／ユーザデータプレイン分離（C/U plane split）モードが設定されていないと判断した場合には、ステップＳＴ１４１３に移行する。
【０２２５】
ステップＳＴ１４１３において、スモールセルは、ステップＳＴ１４０７で受信した設定パラメータに基づいて、ＮＣＴモードが設定されたか否かを判断する。スモールセルは、ＮＣＴモードが設定されたと判断した場合には、ステップＳＴ１４１５に移行する。スモールセルは、ＮＣＴモードが設定されていないと判断した場合には、設置時の処理を終了し、他の処理に移行する。ただし、マクロサポートモードに、制御／ユーザデータプレイン分離（C/U plane split）モードおよびＮＣＴモード以外の他のモードが存在する場合には、この限りではない。すなわち、スモールセルは、他のモードについても設定されたか否かを判断し、設定されたと判断した場合には、他のモードで動作を開始し、設定されていないと判断した場合には、設置時の処理を終了して、他の処理に移行する。他の処理は、本発明の特徴的な部分ではないので、説明を省略する。
【０２２６】
ステップＳＴ１４１４において、スモールセルは、制御／ユーザデータプレイン分離（C/U plane split）モードで動作を開始する。ステップＳＴ１４１５において、スモールセルは、ＮＣＴモードで動作を開始する。
【０２２７】
以上のステップＳＴ１４１２〜ステップＳＴ１４１５の処理は、例えば制御／ユーザデータプレイン分離（C/U plane split）モードかつＮＣＴモードの設定を可能とした場合には、この限りではない。すなわち、制御／ユーザデータプレイン分離（C/U plane split）モードかつＮＣＴモードが設定されたか否かが判断され、設定されたと判断されると、制御／ユーザデータプレイン分離（C/U plane split）モードかつＮＣＴモードで動作が開始される。
【０２２８】
ステップＳＴ１４１７において、ＵＥは、セル選択、またはセル再選択を行うか否かを判断する。ＵＥは、セル選択、またはセル再選択を行わないと判断した場合には、ステップＳＴ１４１７の処理を繰り返す。ＵＥは、セル選択、またはセル再選択を行うと判断した場合には、ステップＳＴ１４１８に移行する。
【０２２９】
ステップＳＴ１４１８において、ＵＥは、報知情報に従ってセルを選択する。例えば、ステップＳＴ１４０９でカバレッジマクロセルのキャリア周波数を受信していた場合には、ＵＥは、セル選択、またはセル再選択の際に、カバレッジマクロセルのキャリア周波数から優先的にセルサーチを実行する。
【０２３０】
実施の形態１によって、以下の効果を得ることができる。スモールセルの設置場所、スモールセルのサポートモードによらず、スモールセルを設置する際に、オペレータを介在させることなく、スモールセルの動作を開始させることが可能となる。これによって、スモールセルを設置するときのオペレータによる運用管理を容易にすることができる。
【０２３１】
実施の形態１  変形例１．
実施の形態１では、スモールセルクラスタを開示したが、実施の形態１で開示したスモールセルクラスタの管理方法については、３ＧＰＰでの議論の結果として開示されたものがない。したがって、統一のとれた通信システムの動作を実現することができないという課題がある。そこで、本実施の形態１の変形例１では、スモールセルクラスタの管理方法について開示する。
【０２３２】
スモールセルクラスタの管理方法は、例えば、以下の（１），（２）の２つのステップを含む。ステップ（１）、ステップ（２）の順に実行される。ステップ（１）、ステップ（２）の処理は、繰り返し実行可能、また随時実行可能である。
【０２３３】
（１）スモールセルクラスタに含まれるスモールセルを決定する。（２）スモールセルクラスタに含まれるスモールセルのリストを、スモールセルクラスタの管理主体に記憶する。
【０２３４】
ステップ（１）のスモールセルクラスタに含まれるスモールセルの決定方法の具体例として、以下の（１−１）〜（１−６）の６つを開示する。
【０２３５】
（１−１）セルアグリゲーションに基づいて、スモールセルクラスタに含まれるスモールセルを決定する。例えば、スモールセルクラスタには、同じスケジューリング主体となるスモールセルを含めるように決定する。
【０２３６】
（１−２）設置場所に基づいて、スモールセルクラスタに含まれるスモールセルを決定する。例えば、スモールセルクラスタには、同じ駅構内に設置されたスモールセルを含めるように決定する。また例えば、スモールセルクラスタには、同じカバレッジマクロセルのカバレッジ内に設置されたスモールセルを含めるように決定する。また例えば、スモールセルクラスタには、同じトラッキングエリア（Tracking Area：ＴＡ）内に設置されたスモールセルを含めるように決定する。
【０２３７】
（１−３）ＣｏＭＰに基づいて、スモールセルクラスタに含まれるスモールセルを決定する。例えば、スモールセルクラスタには、同じＣｏＭＰコオペレーティングセットに含まれるスモールセルを含めるように決定する。
【０２３８】
（１−４）接続ネットワーク機器に基づいて、スモールセルクラスタに含まれるスモールセルを決定する。例えば、スモールセルクラスタには、同じＭＭＥに接続されたスモールセルを含めるように決定する。また例えば、スモールセルクラスタには、同じＨｅＮＢＧＷに接続されたスモールセルを含めるように決定する。
【０２３９】
（１−５）ＥＳポリシーに基づいて、スモールセルクラスタに含まれるスモールセルを決定する。例えば、スモールセルクラスタには、同じＥＳポリシーとなるスモールセルを含めるように決定する。また例えば、スモールセルクラスタには、同じタイミングで、通常動作から消費電力低減動作に移行させたいスモールセルを含めるように決定する。また例えば、スモールセルクラスタには、同じタイミングで、消費電力低減動作から通常動作に移行させたいスモールセルを含めるように決定する。
（１−６）前記（１−１）〜（１−５）の組合せ。
【０２４０】
ステップ（２）でスモールセルクラスタに含まれるスモールセルのリストを記憶するスモールセルクラスタの管理主体の具体例として、以下の（２−１）〜（２−６）の６つを開示する。
【０２４１】
（２−１）セルアグリゲーションする際のスケジューリング主体。セルアグリゲーションする際の集中制御ノード。本具体例（２−１）は、前述のスモールセルクラスタに含まれるスモールセルの決定方法の具体例（１−１）と親和性が高い。すなわち、スモールセルクラスタの管理主体を、セルアグリゲーションする際のスケジューリング主体にすることによって、セルアグリゲーションする際のスケジューリング主体とスモールセルクラスタの管理主体とが同じになる。したがって、同じスケジューリング主体となるスモールセルの情報などのやり取りが不要となるので、通信システムが複雑化することを回避することができる。
【０２４２】
（２−２）ＣｏＭＰ用の協調制御エンティティ（「ＣｏＭＰコンセントレータ」、「集中制御ノード」とも称する）。本具体例（２−２）は、前述のスモールセルクラスタに含まれるスモールセルの決定方法の具体例（１−３）と親和性が高い。すなわち、スモールセルクラスタの管理主体を、ＣｏＭＰコンセントレータにすることによって、１つのＣｏＭＰコンセントレータが司るセルのセットがＣｏＭＰコオペレーティングセットである場合、ＣｏＭＰコオペレーティングセットに含まれるセルを管理する主体とスモールセルクラスタの管理主体とが同じになる。したがって、同じＣｏＭＰコオペレーティングセットに含まれるスモールセルの情報などのやり取りが不要となるので、通信システムが複雑化することを回避することができる。
【０２４３】
（２−３）ＯＡＭ（operation administration and maintenance）。本具体例（２−３）は、前述のスモールセルクラスタに含まれるスモールセルの決定方法の具体例（１−２）および（１−５）と親和性が高い。セルが新たに設置された場合、セルは、ＯＡＭに設置場所を報告する場合がある。この場合、スモールセルクラスタの管理主体をＯＡＭにすることによって、セルの設置場所を把握する主体とスモールセルクラスタの管理主体とが同じになる。したがって、セルの設置場所の情報などのやり取りが不要となるので、通信システムが複雑化することを回避することができる。また、ＯＡＭがＥＳポリシーを設定する場合がある。この場合、スモールセルクラスタの管理主体をＯＡＭにすることによって、ＥＳポリシーの設定主体とスモールセルクラスタの管理主体とが同じになる。したがって、セルのＥＳポリシー情報などのやり取りが不要となるので、通信システムが複雑化することを回避することができる。
【０２４４】
（２−４）カバレッジマクロセル。本具体例（２−４）は、前述のスモールセルクラスタに含まれるスモールセルの決定方法の具体例（１−２）のうち、スモールセルクラスタには、同じカバレッジマクロ内に設置されたスモールセルを含めるように決定する場合、および前述のスモールセルクラスタに含まれるスモールセルの決定方法の具体例（１−５）と親和性が高い。すなわち、スモールセルクラスタの管理主体をカバレッジマクロセルにすることによって、カバレッジマクロセルがＥＳポリシーを設定する場合、ＥＳポリシーの設定主体とスモールセルクラスタの管理主体とが同じになる。したがって、セルのＥＳポリシー情報などのやり取りが不要となるので、通信システムが複雑化することを回避することができる。
【０２４５】
（２−５）ＭＭＥ。本具体例（２−５）は、前述のスモールセルクラスタに含まれるスモールセルの決定方法の具体例（１−２）のうち、スモールセルクラスタには、同じＴＡ内に設置されたスモールセルを含めるように決定する場合、および前述のスモールセルクラスタに含まれるスモールセルの決定方法の具体例（１−４）のうち、スモールセルクラスタには、同じＭＭＥに接続されたスモールセルを含めるように決定する場合と親和性が高い。ＭＭＥはＴＡを管理する。したがって、同じＴＡ内に設置されたスモールセルを把握する主体とスモールセルクラスタの管理主体とが同じになる。したがって、セルの同じＴＡ内に設置されたスモールセル情報などのやり取りが不要となるので、通信システムが複雑化することを回避することができる。
【０２４６】
（２−６）ＨｅＮＢＧＷ。本具体例（２−６）は、前述のスモールセルクラスタに含まれるスモールセルの決定方法の具体例（１−２）のうち、スモールセルクラスタには、同じ駅構内に設置されたスモールセルを含めるように決定する場合、および前述のスモールセルクラスタに含まれるスモールセルの決定方法の具体例（１−４）のうち、スモールセルクラスタには、同じＨｅＮＢＧＷに接続されたスモールセルを含めるように決定する場合と親和性が高い。例えば、駅構内にＨｅＮＢＧＷを設置し、駅構内のＨｅＮＢを、該ＨｅＮＢＧＷに接続させる場合がある。その場合、スモールセルクラスタの管理主体をＨｅＮＢＧＷにすることによって、同じ駅構内に設置されたスモールセルを把握する主体とスモールセルクラスタの管理主体とが同じになる。したがって、同じ駅構内に設置されたスモールセル情報などのやり取りが不要となるので、通信システムが複雑化することを回避することができる。
【０２４７】
実施の形態１の変形例１によって、以下の効果を得ることができる。スモールセルクラスタの管理方法が明確となり、統一のとれた通信システムの動作を実現することが可能となる。
【０２４８】
実施の形態２．
実施の形態２で解決する課題について、以下に説明する。３ＧＰＰでは、インフラ（infrastructure）の消費電力低減（Energy Saving：ＥＳ）について議論されている。ＥＳを実現するために、スモールセルおよびマクロセルなどのセルは、後述の通常動作を行っている状態（「活性状態」、「オン状態」とも称する）と、後述の消費電力低減動作を行っている状態（「休眠（dormant）状態」、「オフ状態」とも称する）とを切替え可能に構成される。ここで、消費電力低減動作とは、通常動作よりも消費電力が低減された動作のことである。以下の説明では、オン状態からオフ状態に切替える動作を「スイッチオフ」といい、オフ状態からオン状態に切替える動作を「スイッチオン」という場合がある。
【０２４９】
従来のＥＳポリシーを以下に説明する。従来のＥＳポリシーでは、セルは、自セルの判断で、スイッチオフ、具体的には、通常動作から消費電力低減動作への移行（「活性状態から休眠（dormant）状態への移行」とも称する）をする。スイッチオフをする場合、周辺セルにスイッチオフをする旨を通知する。周辺セルは、負荷が高くなった場合、スイッチオフされているセルに、スイッチオン、具体的には、消費電力低減動作から通常動作への移行（「休眠（dormant）状態からの再活性化」とも称する）を要求する（非特許文献１参照）。
【０２５０】
また非特許文献１には、オペレータが、ＥＳ機能を設定できることが開示されている。設定情報には、以下の（１），（２）が含まれる。（１）ｅＮＢが自律的にセルのスイッチオフを行う能力。（２）周辺ｅＮＢによって所有される休眠（dormant）セルを再活性化させる能力。
【０２５１】
また非特許文献１には、ＯＡＭが、以下の（１），（２）を設定することが開示されている。（１）ｅＮＢによって用いられるスイッチオフの決定ポリシー。（２）周辺ｅＮＢによって用いられる休眠（dormant）セルの再活性化要求のポリシー。
【０２５２】
実施の形態２で解決する課題について、図１５を用いて以下に説明する。スモールセルの設置場所としては、例えばスモールセル１３０５のように、マクロｅＮＢ（マクロセル）が構成するカバレッジ１３０３内と、例えばスモールセル１３０６のように、マクロセルのカバレッジ１３０３外とがともに検討されている。
【０２５３】
また、スモールセルの動作モードとしては、マクロセルと同様の動作を行うスタンドアローン（Standalone）モードと、マクロセルに付随、またはマクロセルと協調して動作を行うマクロサポートモードとがともに検討されている。
【０２５４】
スモールセルを導入した場合、従来のような１種類のＥＳポリシーでは不適切となる場合が考えられる。不適切となる場合の具体例を、以下に説明する。
【０２５５】
従来のＥＳポリシーであっても、周辺セルは、負荷が高くなった場合、スイッチオフされているセルにスイッチオンを要求することができるようになっている。ここで、周辺セルがカバレッジマクロセルであり、該カバレッジマクロセル内に多くのスモールセルが設置されている場合を考える。数多くのスモールセルが、従来通り、自セルの判断でスイッチオフをしたとする。カバレッジマクロセルは、自セルの負荷が高くなった場合に、スイッチオフされているスモールセルにスイッチオンを要求する。この場合、スイッチオフされているスモールセルが数多くあるので、スイッチオンを要求する相手が多くなる。したがって、カバレッジマクロセルの処理負荷が高くなり、また、送受信される情報も多くなるという課題がある。
【０２５６】
実施の形態２での解決策を以下に示す。実施の形態２では、従来とは異なる、スモールセル独自のＥＳポリシーを新設する。これによって、スモールセルを導入した場合の通信システムとして最適なＥＳ動作を実現することができる。実施の形態２での解決策を、以下に具体的に説明する。
【０２５７】
前述のように、非特許文献１には、ＯＡＭが、ｅＮＢによって用いられるスイッチオフの決定ポリシー、または周辺ｅＮＢによって用いられる休眠（dormant）セルの再活性化要求のポリシーを設定することが開示されている。しかし、前記「スイッチオフの決定ポリシー」および「休眠（dormant）セルの再活性化要求のポリシー」は、ともに従来の１種類のＥＳポリシーの中でのバリエーションに過ぎない。従来の１種類のＥＳポリシーとは、「自セルの判断で、スイッチオフ、具体的には消費電力低減動作への移行（「休眠（dormant）状態への移行」とも称する）をする。スイッチオフをする場合、周辺セルにスイッチオフをする旨を通知する。周辺セルは、負荷が高くなった場合、スイッチオフされているセルに、スイッチオン、具体的には、通常動作への移行、または再活性化を要求する（非特許文献１参照）。」というものである。
【０２５８】
実施の形態２で新設されるスモールセル独自のＥＳポリシーの具体例として、以下の（１），（２）の２つを開示する。
【０２５９】
（１）スモールセルは、他のセルからのスイッチオフの許可（以下、単に「スイッチオフ許可」という場合がある）、またはスイッチオフの不許可（以下、単に「スイッチオフ不許可」という場合がある）の指示に従う。また、他のセルは、スモールセルの集中制御ノードであってもよい。また、他のセルはＥＳの集中制御ノード（「ＥＳコンセントレータ」とも称する）であってもよい。また、スモールセルは、他のセルのカバレッジ内に設置された場合に、該他のセルからのスイッチオフ許可、またはスイッチオフ不許可の指示に従うとしてもよい。
【０２６０】
スモールセル独自のＥＳポリシーとして、スイッチオフ許可と指示されたスモールセルは、以下のように動作する。スモールセルの判断でスイッチオフをすることを可能とする。スイッチオフをする場合は、周辺セルにスイッチオフをする旨を通知する。スイッチオフする旨を通知する際、スモールセルであるか否かのインジケータを併せて通知してもよい。また、自セルの識別子を併せて通知してもよい。周辺セルからスイッチオンを要求された場合は、スイッチオンをする。
【０２６１】
スイッチオフ不許可と指示されたスモールセルは、以下のように動作する。スモールセルの判断でスイッチオフをすることを不可能とする。すなわち、スイッチオフをしない。
【０２６２】
他のセルのカバレッジ内に存在するスモールセルは、前記スモールセル独自のＥＳポリシーと同様に動作し、他のセルのカバレッジ外に存在するスモールセルは、以下のように動作する。スモールセルの判断でスイッチオフをすることを可能とする。スイッチオフをする場合は、周辺セルにスイッチオフをする旨を通知する。スイッチオフする旨を通知する際、スモールセルであるか否かのインジケータを併せて通知してもよい。また、自セルの識別子を併せて通知してもよい。周辺セルからスイッチオンを要求された場合は、スイッチオンをする。
【０２６３】
（２）スモールセルは、マクロセルのカバレッジ内に設置された場合、該カバレッジマクロセルのスイッチオフの許可、またはスイッチオフの不許可の指示に従う。
【０２６４】
スイッチオフ許可と指示されたスモールセルは、以下のように動作する。スモールセルの判断でスイッチオフをすることを可能とする。スイッチオフをする場合は、カバレッジマクロセルにスイッチオフをする旨を通知する。スイッチオフをする旨を通知する際、スモールセルであるか否かのインジケータを併せて通知してもよい。また、自セルの識別子を併せて通知してもよい。カバレッジマクロセルからスイッチオンを要求された場合は、スイッチオンをする。
【０２６５】
スイッチオフ不許可と指示されたスモールセルは、以下のように動作する。スモールセルの判断でスイッチオフをすることを不可能とする。すなわち、スイッチオフをしない。
【０２６６】
マクロセルのカバレッジ外に存在するスモールセルは、以下のように動作する。スモールセルの判断でスイッチオフをすることを可能とする。スイッチオフをする場合は、周辺セルにスイッチオフをする旨を通知する。スイッチオフをする旨を通知する際、スモールセルであるか否かのインジケータを併せて通知してもよい。また、自セルの識別子を併せて通知してもよい。周辺セルからスイッチオンを要求された場合は、スイッチオンをする。
【０２６７】
スモールセルが、他のセル、またはマクロセルのカバレッジ内に設置されたか否かを判断する方法の具体例は、前述の実施の形態１と同様であるので、説明を省略する。
【０２６８】
スモールセルが、セルサーチの際に、対象のセルがマクロセルであるか否かを判断する方法の具体例は、前述の実施の形態１と同様であるので、説明を省略する。
【０２６９】
スモールセル独自のＥＳポリシーの具体例（１）において、他のセルが複数存在する場合の動作の具体例として、以下の（１−１），（１−２）の２つを開示する。
【０２７０】
（１−１）全ての他セルの指示に従う。具体的には、全ての他セルから、スイッチオフ許可と指示されたスモールセルは、以下のように動作する。スモールセルの判断でスイッチオフをすることを可能とする。スイッチオフをする場合は、周辺セルにスイッチオフをする旨を通知する。周辺セルからスイッチオンを要求された場合は、スイッチオンをする。
【０２７１】
少なくとも１つの他のセルからスイッチオフ不許可と指示されたスモールセルは、以下のように動作する。スモールセルの判断でスイッチオフをすることを不可能とする。すなわち、スイッチオフをしない。
【０２７２】
（１−２）複数の他のセルの中で代表となる他のセル（以下「代表他セル」という場合がある）の指示に従う。具体的には、代表他セルを決定する。
【０２７３】
代表他セルから、スイッチオフ許可と指示されたスモールセルは、以下のように動作する。スモールセルの判断でスイッチオフをすることを可能とする。スイッチオフをする場合は、代表他セル、または周辺セルにスイッチオフをする旨を通知する。代表他セル、または周辺セルからスイッチオンを要求された場合は、スイッチオンをする。
【０２７４】
代表他セルからスイッチオフ不許可と指示されたスモールセルは、以下のように動作する。スモールセルの判断でスイッチオフをすることを不可能とする。すなわち、スイッチオフをしない。
【０２７５】
代表他セルの決定方法の具体例として、以下の（１−２−１）〜（１−２−３）の３つを開示する。
【０２７６】
（１−２−１）スモールセルのセルサーチによる受信品質が最も高いセルを代表他セルとする。
【０２７７】
（１−２−２）実施の形態１を用いて、スモールセルの能力に適した設定を行ったセルを代表他セルとする。
【０２７８】
（１−２−３）マクロサポートモードにおいて、スモールセルと共に動作させるセルを代表他セルとする。スモールセルと共に動作させるセルの具体例は、前述の実施の形態１と同様であるので、説明を省略する。
【０２７９】
スモールセル独自のＥＳポリシーの具体例（２）において、カバレッジマクロセルが複数存在する場合の動作の具体例として、以下の（２−１），（２−２）の２つを開示する。
【０２８０】
（２−１）全てのカバレッジマクロセルの指示に従う。具体的には、全てのカバレッジマクロセルから、スイッチオフ許可と指示されたスモールセルは、以下のように動作する。スモールセルの判断でスイッチオフをすることを可能とする。スイッチオフをする場合は、全てのカバレッジマクロセルにスイッチオフをする旨を通知する。カバレッジマクロセルからスイッチオンを要求された場合は、スイッチオンをする。
【０２８１】
少なくとも１つのカバレッジマクロセルからスイッチオフ不許可と指示されたスモールセルは、以下のように動作する。スモールセルの判断でスイッチオフをすることを不可能とする。すなわち、スイッチオフをしない。
【０２８２】
（２−２）複数のカバレッジマクロセルの中で代表となるカバレッジマクロセル（以下「代表カバレッジマクロセル」という場合がある）の指示に従う。具体的には、代表カバレッジマクロセルを決定する。
【０２８３】
代表カバレッジマクロセルから、スイッチオフ許可と指示されたスモールセルは、以下のように動作する。スモールセルの判断でスイッチオフをすることを可能とする。スイッチオフをする場合は、代表カバレッジマクロセル、またはカバレッジマクロセルにスイッチオフをする旨を通知する。代表カバレッジマクロセル、またはカバレッジマクロセルからスイッチオンを要求された場合は、スイッチオンをする。
【０２８４】
代表カバレッジマクロセルからスイッチオフ不許可と指示されたスモールセルは、以下のように動作する。スモールセルの判断でスイッチオフをすることを不可能とする。すなわち、スイッチオフをしない。
【０２８５】
代表カバレッジマクロセルの決定方法の具体例として、以下の（２−２−１）〜（２−２−３）の３つを開示する。
【０２８６】
（２−２−１）スモールセルのセルサーチによる受信品質が最も高いカバレッジマクロセルを代表カバレッジマクロセルとする。つまり、第一カバレッジマクロセルを代表カバレッジマクロセルとする。
【０２８７】
（２−２−２）実施の形態１を用いて、スモールセルの能力に適した設定を行ったカバレッジマクロセルを代表カバレッジマクロセルとする。
【０２８８】
（２−２−３）マクロサポートモードにおいて、スモールセルと共に動作させるマクロセルを代表カバレッジマクロセルとする。スモールセルと共に動作させるマクロセルの具体例は、前述の実施の形態１と同様であるので、説明を省略する。
【０２８９】
スモールセル独自のＥＳポリシーを用いるか否かの設定主体、およびスモールセルにおけるスモールセル独自のＥＳポリシーを用いるか否かの設定方法（「ＥＳポリシー設定方法」と称する）の具体例として、以下の（１）〜（３）の３つを開示する。
【０２９０】
（１）静的に決定する。スモールセルは、スモールセル独自のＥＳポリシーを用いる。これによって、スモールセル独自のＥＳポリシーを用いるか否かの設定、およびスモールセルにおけるスモールセル独自のＥＳポリシーを用いるか否かの判断は不要である。後述の具体例（２），（３）と比較して設定処理が不要となり、設定などのシグナリングが不要となるので、通信システムが複雑化することを回避することができる。
【０２９１】
（２）スモールセル自体が、スモールセル独自のＥＳポリシーを用いるか否かを設定する。スモールセル自体が設定するので、スモールセルにおけるＥＳポリシーを用いるか否かの判断は不要である。その場合の具体例として、以下の（２−１），（２−２）の２つを開示する。
【０２９２】
（２−１）スモールセルは、他のセルのカバレッジ内に設置される場合、つまりスモールセルがカバレッジセルを持つ場合は、スモールセル独自のＥＳポリシーを用いることを設定する。スモールセルは、他のセルのカバレッジ内に設置されていない場合、つまりスモールセルがカバレッジセルを持たない場合は、スモールセル独自のＥＳポリシーを用いないことを設定する。または、従来通りのＥＳポリシーを用いることを設定してもよい。
【０２９３】
（２−２）スモールセルは、マクロセルのカバレッジ内に設置される場合、つまりスモールセルがカバレッジマクロセルを持つ場合は、スモールセル独自のＥＳポリシーを用いることを設定する。スモールセルは、マクロセルのカバレッジ内に設置されていない場合、つまりスモールセルがカバレッジマクロセルを持たない場合は、スモールセル独自のＥＳポリシーを用いないことを設定する。例えば、従来通りのＥＳポリシーを用いるようにしてもよい。
【０２９４】
（３）実施の形態１と同様に、既に設置されているネットワーク機器が、スモールセル独自のＥＳポリシーを用いるか否かの設定を行う。スモールセルが設置された場合に、ネットワーク機器からスモールセルに通知される、該スモールセルの能力に適した設定パラメータを用いて設定する。具体的には、設定パラメータの消費電力低減（Energy Saving：ＥＳ）ポリシーを用いて設定する。設定パラメータの消費電力低減（Energy Saving：ＥＳ）ポリシーが無い場合は、スモールセル独自のＥＳポリシーを用いないと設定されてもよい。または、設定パラメータのＥＳポリシーが無い場合は、従来通りのＥＳポリシーを用いると設定されてもよい。スモールセル独自のＥＳポリシーを用いるか否かの判断は、既に設置されているネットワーク機器が行えばよい。既に設置されているネットワーク機器の具体例は、前述の実施の形態１の具体例に加えて、ＥＳコンセントレータなどがある。スモールセル独自のＥＳポリシーを用いるか否かの判断主体と、スモールセル独自のＥＳポリシーを用いるか否かの設定主体とが異なる場合は、判断主体から設定主体に、スモールセル独自のＥＳポリシーを用いるか否かの情報を通知すればよい。スモールセルは、設定主体であるネットワーク機器から通知された設定パラメータに基づいて、スモールセル独自のＥＳポリシーを用いるか否かを判断すればよい。
【０２９５】
スモールセルに、「スイッチオフ許可」または「スイッチオフ不許可」を通知する、他のセル（カバレッジセル、カバレッジマクロセル、周辺セルなど）が、対象のセルがスモールセル独自のＥＳポリシーを用いるか否かを知る方法の具体例を、ＥＳポリシー設定方法の具体例毎に、以下に開示する。
【０２９６】
ＥＳポリシーの設定方法（１）とした場合の具体例として、以下の（１−１），（１−２）の２つを開示する。
【０２９７】
（１−１）スモールセルは、スモールセルである旨を報知する。他のセルは、対象のセルの報知情報を受信し、スモールセルであるか否かを確認する。
【０２９８】
（１−２）実施の形態１を用いて、スモールセルが設置された場合に、スモールセルから通知される自セルの能力パラメータに基づいて判断する。能力パラメータに、スモールセルである旨が含まれている場合は、対象のセルをスモールセルと判断する。または、自セルの能力パラメータを通知してきたセルは、スモールセルであると判断してもよい。
【０２９９】
ＥＳポリシーの設定方法（２）とした場合の具体例として、以下の（２−１）を開示する。
【０３００】
（２−１）実施の形態１に開示したネットワーク機器から設定パラメータを受信した場合のスモールセルの動作の具体例（４）を用いる。
【０３０１】
ＥＳポリシーの設定方法（３）とした場合の具体例として、以下の（３−１），（３−２）の２つを開示する。
【０３０２】
（３−１）前記（２−１）と同様に、実施の形態１に開示したネットワーク機器から設定パラメータを受信した場合のスモールセルの動作の具体例（４）を用いる。
【０３０３】
（３−２）スモールセルへスモールセル独自のＥＳポリシーを用いるか否かの設定を行うネットワーク機器が、他のセルに、該スモールセルのスモールセル独自のＥＳポリシーを用いるか否かの設定を通知する。
【０３０４】
他のセルまたはカバレッジマクロセルからスモールセルへのスイッチオフ許可、もしくはスイッチオフ不許可の指示の通知に用いられるインタフェースの具体例として、以下の（１）〜（４）の４つを開示する。
【０３０５】
（１）報知情報を用いて通知する。新たなインジケータを追加する。本具体例（１）は、セル内に多くのスモールセルが設置される場合などに、スモールセル毎に個別にスイッチオフ許可またはスイッチオフ不許可の指示を通知する必要が無い点において、後述するインタフェースの具体例（２），（３）と比較して優れている。スモールセルにおける報知情報を受信する方法の具体例として、以下の（１−１），（１−２）の２つを開示する。（１−１）周辺セルサーチ時の報知情報受信時。（１−２）他のセル、またはカバレッジマクロセルのシステム情報の更新通知受信時。
【０３０６】
（２）Ｘ２インタフェースを用いて通知する。既存のメッセージにインジケータを追加してもよい。既存のメッセージの具体例として、以下の（２−１）〜（２−３）の３つを開示する。
【０３０７】
（２−１）「CELL ACTIVATION REQUEST」メッセージ（非特許文献１５  ８．３．１章参照）。従来のＥＳポリシーにおいて、スイッチオフされているセルにスイッチオンを要求するメッセージである。ＥＳ関連の情報を同じメッセージで送受信することが可能となるので、通信システムが複雑化することを回避することができる。
【０３０８】
（２−２）「LOAD INFORMATION」メッセージ（非特許文献１５  ９．１．２．１章参照）。後述のように、スイッチオフ許可、またはスイッチオフ不許可にする場合の判断に、無線リソースの状況を用いる場合は、無線リソース関連の情報を同じメッセージで送受信することが可能となるので、通信システムが複雑化することを回避することができる。
【０３０９】
（２−３）「eNB Configuration Update」メッセージ（非特許文献１５  ８．３．５章参照）。セルの設定、または状況の情報を同じメッセージで送受信することが可能となるので、通信システムが複雑化することを回避することができる。
【０３１０】
（３）ＭＭＥ経由でＳ１インタフェースを用いて通知する。既存のメッセージにインジケータを追加してもよい。既存のメッセージの具体例を、以下に開示する。「eNB Configuration Update」メッセージ（非特許文献１６  ８．７．４章参照）。セルの設定、または状況の情報を同じメッセージで送受信することが可能となるので、通信システムが複雑化することを回避することができる。
（４）新たなインタフェースを設けてもよい。
【０３１１】
他のセルまたはカバレッジマクロセルのスモールセルへのスイッチオフ許可、もしくはスイッチオフ不許可の判断の具体例を、以下に開示する。
【０３１２】
他のセルまたはカバレッジマクロセルは、自セルの負荷が高い場合は、スイッチオフ不許可とする。これによって、スイッチオフ不許可の指示を受信したスモールセルが、スモールセルの判断でスイッチオフを行うことがない。したがって、スモールセルのカバレッジ内に位置するＵＥがスモールセルを用いることが可能となるので、他のセルまたはカバレッジマクロセルで無線リソースが不足することを解消することができる。また、同じ理由で、他のセルまたはカバレッジマクロセルの処理負荷を軽減することが可能となる。
【０３１３】
他のセルまたはカバレッジマクロセルは、自セルの負荷が低い場合は、スイッチオフ許可とする。これによって、スイッチオフ許可の指示を受信したスモールセルが、スモールセルの判断でスイッチオフを行う。したがって、他のセルまたはカバレッジマクロセルの負荷が低いことから、スモールセルがスイッチオフをした場合であっても、スイッチオフをしたスモールセルの傘下のＵＥとの通信を、他のセルまたはカバレッジマクロセルが問題なく担うことができる。また、併せて、スモールセルがスイッチオフをすることによって、低消費電力化を実現することが可能となる。
【０３１４】
次に、図１８および図１９を用いて、実施の形態２の解決策を用いた場合の通信システムのシーケンスの具体例を説明する。図１８および図１９は、実施の形態２における通信システムのシーケンスの一例を示す図である。図１８と図１９とは、境界線ＢＬ２の位置で、つながっている。図１８および図１９において、図１６および図１７に対応するステップについては、同一のステップ番号を付して、共通する説明を省略する。
【０３１５】
ステップＳＴ１４０１において、スモールセルが設置され、ステップＳＴ１４０２において、スモールセルによって周辺セルサーチが実行されると、ステップＳＴ１４０３に移行する。
【０３１６】
ステップＳＴ１４０３において、スモールセルは、マクロセルのカバレッジ内に設置されているか否かを判断することによって、カバレッジマクロセルが有るか否かを判断する。ステップＳＴ１４０３において、スモールセルは、マクロセルのカバレッジ内に設置されていないと判断した場合は、カバレッジマクロセルが無いと判断して、ステップＳＴ１５００に移行する。ステップＳＴ１４０３において、スモールセルは、マクロセルのカバレッジ内に設置されていると判断した場合は、カバレッジマクロセルが有ると判断して、ステップＳＴ１５０１に移行する。
【０３１７】
ステップＳＴ１５００において、スモールセルは、従来通りのＥＳポリシーを用いることを決定する。スモールセル独自のＥＳポリシーを用いないことを決定するとしてもよい。ステップＳＴ１５００の処理が完了すると、設置時の処理を終了し、他の処理に移行する。ステップＳＴ１５００の後の他の処理は、本発明の特徴的な部分ではないので、説明を省略する。
【０３１８】
ステップＳＴ１５０１において、スモールセルは、スモールセル独自のＥＳポリシーを用いることを決定する。
【０３１９】
ステップＳＴ１５０２において、カバレッジマクロセルは、カバレッジ内のスモールセルのスイッチオフ許可、またはスイッチオフ不許可のインジケータを報知情報にマッピングして、マッピングした報知情報をスモールセルに送信する。
【０３２０】
ステップＳＴ１５０３において、スモールセルは、報知情報を受信する。カバレッジマクロセルの報知情報を受信するとしてもよい。
【０３２１】
ステップＳＴ１５０４において、スモールセルは、スイッチオフが許可されているか否かを判断する。本例では、スモールセルは、ステップＳＴ１５０３で受信した報知情報の中に、スイッチオフ許可のインジケータが含まれているか否かを判断することによって、スイッチオフが許可されているか否かを判断する。
【０３２２】
スモールセルは、ステップＳＴ１５０４において、報知情報の中に、スイッチオフ許可のインジケータが含まれていると判断した場合は、スイッチオフが許可されていると判断し、ステップＳＴ１５０５に移行する。スモールセルは、ステップＳＴ１５０４において、報知情報の中に、スイッチオフ許可のインジケータが含まれていないと判断した場合は、スイッチオフが許可されていないと判断し、ステップＳＴ１５０３に戻る。
【０３２３】
ステップＳＴ１５０５において、スモールセルは、自セルの判断でスイッチオフをするか否かを判断する。スモールセルは、ステップＳＴ１５０５において、スイッチオフをすると判断した場合は、図１９のステップＳＴ１５０６に移行する。スモールセルは、ステップＳＴ１５０５において、スイッチオフをしないと判断した場合は、ステップＳＴ１５０３に戻る。または、ステップＳＴ１５０５の処理を繰り返すようにしてもよい。
【０３２４】
図１８および図１９に示す例では、ステップＳＴ１５０３およびステップＳＴ１５０４の処理の後にステップＳＴ１５０５の処理を行っているが、処理の順序を入れ替えて、ステップＳＴ１５０５の処理の後にステップＳＴ１５０３およびステップＳＴ１５０４の処理を行うようにしてもよい。
【０３２５】
ステップＳＴ１５０６において、スモールセルは、スイッチオフをする。ステップＳＴ１５０７において、スモールセルは、カバレッジマクロセルに、スイッチオフをした旨を通知する。
【０３２６】
図１８および図１９に示す例では、ステップＳＴ１５０６の処理の後にステップＳＴ１５０７の処理を行っているが、処理の順序を入れ替えて、ステップＳＴ１５０７の処理の後にステップＳＴ１５０６の処理を行うようにしてもよい。この場合、ステップＳＴ１５０７の処理としては、スイッチオフをする旨をカバレッジマクロセルに通知する処理を行えばよい。
【０３２７】
ステップＳＴ１５０８において、カバレッジマクロセルは、負荷が高くなったか否かを判断する。カバレッジマクロセルは、ステップＳＴ１５０８において、負荷が高くなったと判断した場合は、ステップＳＴ１５０９に移行する。カバレッジマクロセルは、ステップＳＴ１５０８において、負荷が高くなっていないと判断した場合は、ステップＳＴ１５０８の処理を繰り返す。
【０３２８】
ステップＳＴ１５０９において、カバレッジマクロセルは、スモールセルに、スイッチオンをするように要求するスイッチオン要求を通知する。
【０３２９】
ステップＳＴ１５１０において、スモールセルは、カバレッジマクロセルからスイッチオン要求を受信したか否かを判断する。スモールセルは、ステップＳＴ１５１０において、スイッチオン要求を受信したと判断した場合は、ステップＳＴ１５１１に移行する。ステップＳＴ１５１０において、スモールセルがスイッチオン要求を受信していないと判断した場合は、ステップＳＴ１５０９に戻る。
【０３３０】
ステップＳＴ１５１１において、スモールセルは、スイッチオンをする。ステップＳＴ１５１２において、スモールセルは、カバレッジマクロセルに、スイッチオンをした旨を通知する。
【０３３１】
図１８および図１９に示す例では、ステップＳＴ１５１１の処理の後にステップＳＴ１５１２の処理を行っているが、処理の順序を入れ替えて、ステップＳＴ１５１２の処理の後にステップＳＴ１５１１の処理を行うようにしてもよい。この場合、ステップＳＴ１５１２の処理としては、スイッチオンをする旨をカバレッジマクロセルに通知する処理を行えばよい。
【０３３２】
次に、図２０および図２１を用いて、実施の形態２の解決策を用いた場合の通信システムの他のシーケンスの具体例を説明する。図２０および図２１は、実施の形態２における通信システムのシーケンスの他の例を示す図である。図２０と図２１とは、境界線ＢＬ３の位置で、つながっている。図２０および図２１に示す例では、図１８および図１９に示す例とは異なる処理を行う。図２０および図２１において、図１６〜図１９に対応するステップについては、同一のステップ番号を付して、共通する説明を省略する。
【０３３３】
ステップＳＴ１４０１において、スモールセルが設置され、ステップＳＴ１４０２において、スモールセルによって周辺セルサーチが実行されると、ステップＳＴ１４０３に移行する。
【０３３４】
ステップＳＴ１４０３において、スモールセルがマクロセルのカバレッジ内に設置されていないと判断された場合は、カバレッジマクロセルが無いと判断されて、ステップＳＴ１５００に移行する。ステップＳＴ１４０３において、スモールセルがマクロセルのカバレッジ内に設置されていると判断された場合は、カバレッジマクロセルが有ると判断されて、ステップＳＴ１４０４に移行する。ステップＳＴ１４０４において、スモールセルは、自セルの能力を、カバレッジマクロセルに通知する。
【０３３５】
ステップＳＴ１４０４でスモールセルの能力を受信したカバレッジマクロセルは、ステップＳＴ１４０６において、スモールセルの能力に適した設定を選択する。具体的には、カバレッジマクロセルは、スモールセルの能力に適した設定パラメータを選択する。本例では、カバレッジマクロセルは、ＥＳポリシーとして、スモールセル独自のＥＳポリシーを選択し、スモールセル独自のＥＳポリシーを設定した設定パラメータを選択する。
【０３３６】
次いで、ステップＳＴ１６０１において、カバレッジマクロセルは、ステップＳＴ１４０６で選択した設定パラメータをスモールセルに通知する。本例では、カバレッジマクロセルは、ＥＳポリシーとして、スモールセル独自のＥＳポリシーを設定した設定パラメータをスモールセルに通知する。
【０３３７】
ステップＳＴ１６０２において、スモールセルは、ステップＳＴ１６０１で受信した設定パラメータに従って、スモールセル独自のＥＳポリシーを用いることを決定する。
【０３３８】
ステップＳＴ１６０３において、カバレッジマクロセルは、カバレッジ内のスモールセルに、スイッチオフ許可、またはスイッチオフ不許可のインジケータを通知する。
【０３３９】
ステップＳＴ１６０４において、スモールセルは、カバレッジマクロセルからスイッチオフ許可、またはスイッチオフ不許可のインジケータを受信する。スイッチオフ許可、またはスイッチオフ不許可のインジケータを受信すると、ステップＳＴ１５０４に移行する。
【０３４０】
ステップＳＴ１５０４において、スモールセルは、スイッチオフが許可されているか否かを判断する。本例では、スモールセルは、ステップＳＴ１６０４で受信したインジケータが、スイッチオフ許可のインジケータであるか否かを判断することによって、スイッチオフが許可されているか否かを判断する。
【０３４１】
スモールセルは、ステップＳＴ１５０４において、スイッチオフ許可のインジケータであると判断した場合は、スイッチオフが許可されていると判断し、ステップＳＴ１５０５に移行する。スモールセルは、ステップＳＴ１５０４において、スイッチオフ許可のインジケータではない、換言すればスイッチオフ不許可のインジケータであると判断した場合は、スイッチオフが許可されていないと判断し、ステップＳＴ１６０３に戻る。
【０３４２】
ステップＳＴ１５０５において、スモールセルは、自セルの判断でスイッチオフをするか否かを判断し、スイッチオフをすると判断した場合は、図２１のステップＳＴ１５０６に移行する。スモールセルは、ステップＳＴ１５０５において、スイッチオフをしないと判断した場合は、ステップＳＴ１６０３に戻る。または、ステップＳＴ１５０５の処理を繰り返すようにしてもよい。
【０３４３】
次に、ステップＳＴ１５０６〜ステップＳＴ１５１２において、図１９のステップＳＴ１５０６〜ステップＳＴ１５１２と同様の処理を行う。
【０３４４】
実施の形態２によって、以下の効果を得ることができる。スモールセルに適したＥＳ動作を実現することができる。通信システムとして負荷を考慮した消費電力低減が可能となる。また、スモールセルの設置場所に応じた、スモールセルのＥＳ動作とすることができる。スモールセル設置の際、オペレータを介在させることなく、スモールセルのＥＳポリシーを設定することが可能となる。これによって、スモールセルを設置するときのオペレータによる運用管理を容易にすることができる。
【０３４５】
実施の形態２  変形例１．
実施の形態２の変形例１では、実施の形態２と同様の課題を解決する。実施の形態２の変形例１での解決策を以下に示す。
【０３４６】
実施の形態２の変形例１では、従来とは異なる、スモールセル独自のＥＳ方法を新設する。具体的には、従来のＥＳポリシーにおいて、スモールセル独自のスイッチオフ方法、スモールセル独自の再活性化要求方法を新設する。前述の実施の形態２のスモールセル独自のＥＳポリシーを新設する方法と比較して、ＥＳポリシー自体の新設は行わない点において、通信システムが複雑化することを回避することができる。また、後方互換性（backward compatibility：バックワードコンパチビリティ）に優れた通信システムを構築することが可能となる。これによって、スモールセルを導入した場合の通信システムとして最適なＥＳ動作を実現することができる。
【０３４７】
実施の形態２の変形例１での解決策を、以下に具体的に説明する。スモールセル独自のＥＳ方法の具体例として、以下の（１）〜（４）の４つを開示する。
【０３４８】
（１）スモールセル独自のスイッチオフ方法の具体例として、スモールセルは、スイッチオフをする前に、他のセルにスイッチオフをしてよいか否かの問合せをする。また、他のセルは、スモールセルの集中制御ノードであってもよい。また、他のセルは、ＥＳの集中制御ノード（「ＥＳコンセントレータ」とも称する）であってもよい。また、スモールセルが他のセルのカバレッジ内に設置されている場合、スモールセルは、スイッチオフをする前に、該他のセルにスイッチオフをして良いか否かの問合せをするようにしてもよい。
【０３４９】
スイッチオフをして良いか否かの問合せの応答が、スイッチオフ許可である場合、スモールセルはスイッチオフをする。
【０３５０】
スイッチオフをして良いか否かの問合せの応答が、スイッチオフ不許可である場合、スモールセルはスイッチオフをしない。他のセルは、スイッチオフ不許可を通知する場合に、併せて不許可期間を通知してもよい。スモールセルは、スイッチオフ不許可期間は、スイッチオフをしない。
【０３５１】
他のセルのカバレッジ外に存在するスモールセルは、以下のように動作するとしてもよい。スモールセルの判断でスイッチオフをすることを可能とする。スイッチオフをする場合は、周辺セルにスイッチオフをする旨を通知する。周辺セルからスイッチオンを要求された場合は、スイッチオンをする。
【０３５２】
（２）スモールセル独自のスイッチオフ方法の具体例として、スモールセルがマクロセルのカバレッジ内に設置されている場合、スモールセルは、スイッチオフをする前に、該カバレッジマクロセルにスイッチオフをして良いか否かの問合せをする。
【０３５３】
スイッチオフをして良いか否かの問合せの応答が、スイッチオフ許可である場合、スモールセルはスイッチオフをする。
【０３５４】
スイッチオフをして良いか否かの問合せの応答が、スイッチオフ不許可である場合、スモールセルはスイッチオフをしない。カバレッジマクロセルは、スイッチオフ不許可を通知する場合に、併せてスイッチオフ不許可期間を通知してもよい。スモールセルは、スイッチオフ不許可期間は、スイッチオフをしない。
【０３５５】
マクロセルのカバレッジ外に存在するスモールセルは、以下のように動作する。スモールセルの判断でスイッチオフをすることを可能とする。スイッチオフをする場合は、周辺セルにスイッチオフをする旨を通知する。周辺セルからスイッチオンを要求された場合は、スイッチオンをする。
【０３５６】
（３）スモールセル独自の再活性化要求方法の具体例として、周辺セルによって、スイッチオフ状態のスモールセルに対して、スイッチオン要求を通知する場合、スイッチオフ不許可期間を設定する。スイッチオフをする旨の通知の際に、スモールセルである旨を通知したセルに対して、スイッチオン要求を通知する場合、スイッチオフ不許可期間を設定するようにしてもよい。また、周辺セルは、スモールセルの集中制御ノードであってもよい。また、周辺セルはＥＳの集中制御ノード（「ＥＳコンセントレータ」とも称する）であってもよい。スモールセルは、スイッチオフ不許可期間は、スイッチオフをしない。
【０３５７】
（４）スモールセル独自の再活性化要求方法の具体例として、カバレッジマクロセルによって、スイッチオフ状態のスモールセルに対して、スイッチオン要求を通知する場合、スイッチオフ不許可期間を設定する。スイッチオフをする旨の通知の際に、スモールセルである旨を通知したセルに対して、スイッチオン要求を通知する場合、スイッチオフ不許可期間を設定するようにしてもよい。スモールセルは、スイッチオフ不許可期間は、スイッチオフをしない。
【０３５８】
前述のように、非特許文献１には、ＯＡＭが、ｅＮＢによって用いられるスイッチオフの決定ポリシーを設定することは開示されているが、その具体的な内容は開示されていない。つまり、スイッチオフをする前に、他のセルにスイッチオフをして良いか否かの問合せをすることについては、非特許文献１には開示されていない。また、前述のように、非特許文献１には、ＯＡＭが、周辺ｅＮＢによって用いられる再活性化要求ポリシーを設定することは開示されているが、その具体的な内容は開示されていない。つまり、スイッチオフ不許可期間についても、非特許文献１には開示されていない。
【０３５９】
スモールセルが、他のセルまたはマクロセルのカバレッジ内に設置されているか否かを判断する方法の具体例は、前述の実施の形態１と同様であるので、説明を省略する。
【０３６０】
スモールセルが、セルサーチの際に、対象のセルがマクロセルであるか否かを判断する方法の具体例は、前述の実施の形態１と同様であるので、説明を省略する。
【０３６１】
スモールセル独自のＥＳ方法の具体例（１）において、他のセルが複数存在する場合の動作の具体例として、以下の（１−１），（１−２）の２つを開示する。
【０３６２】
（１−１）全ての他のセルの指示に従う。具体的には、全ての他のセルに問合せを行う。全ての他のセルから、スイッチオフ許可と指示されたスモールセルは、以下のように動作する。スモールセルの判断でスイッチオフをすることを可能とする。スイッチオフをする場合は、周辺セルにスイッチオフをする旨を通知する。周辺セルからスイッチオンを要求された場合は、スイッチオンをする。
【０３６３】
少なくとも１つの他のセルからスイッチオフ不許可と指示されたスモールセルは、以下のように動作する。スモールセルの判断でスイッチオフをすることを不可能とする。すなわち、スイッチオフをしない。
【０３６４】
（１−２）複数の他のセルの中の代表他セルの指示に従う。具体的には、代表他セルを決定する。
【０３６５】
さらに具体的には、代表他セルに問合せを行う。代表他セルから、スイッチオフ許可と指示されたスモールセルは、以下のように動作する。スモールセルの判断でスイッチオフをすることを可能とする。スイッチオフをする場合は、代表他セルまたは周辺セルに、スイッチオフをする旨を通知する。代表他セルまたは周辺セルからスイッチオンを要求された場合は、スイッチオンをする。
【０３６６】
代表他セルからスイッチオフ不許可と指示されたスモールセルは、以下のように動作する。スモールセルの判断でスイッチオフをすることを不可能とする。すなわち、スイッチオフをしない。
【０３６７】
代表他セルの決定方法の具体例として、以下の（１−２−１），（１−２−２）の２つを開示する。
（１−２−１）スモールセルのセルサーチによる受信品質が最も高いカバレッジセルを代表他セルとする。
（１−２−２）実施の形態１を用いて、スモールセルの能力に適した設定を行ったカバレッジセルを代表他セルとする。
【０３６８】
スモールセル独自のＥＳ方法の具体例（２）において、カバレッジマクロセルが複数存在する場合の動作の具体例として、以下の（２−１），（２−２）の２つを開示する。
【０３６９】
（２−１）全てのカバレッジマクロセルの指示に従う。
具体的には、全てのカバレッジマクロセルに問合せを行う。全てのカバレッジマクロセルから、スイッチオフ許可と指示されたスモールセルは、以下のように動作する。スモールセルの判断でスイッチオフをすることを可能とする。スイッチオフをする場合は、全てのカバレッジマクロセルにスイッチオフをする旨を通知する。カバレッジマクロセルからスイッチオンを要求された場合は、スイッチオンをする。
【０３７０】
少なくとも１つのカバレッジマクロセルからスイッチオフ不許可と指示されたスモールセルは、以下のように動作する。スモールセルの判断でスイッチオフをすることを不可能とする。すなわち、スイッチオフをしない。
【０３７１】
（２−２）複数のカバレッジマクロセルの中の代表カバレッジマクロセルの指示に従う。具体的には、代表カバレッジマクロセルを決定する。
【０３７２】
さらに具体的には、代表カバレッジセルに問合せを行う。代表カバレッジマクロセルから、スイッチオフ許可と指示されたスモールセルは、以下のように動作する。スモールセルの判断でスイッチオフをすることを可能とする。スイッチオフをする場合は、代表カバレッジマクロセル、またはカバレッジマクロセルにスイッチオフをする旨を通知する。代表カバレッジマクロセル、またはカバレッジマクロセルからスイッチオンを要求された場合は、スイッチオンをする。
【０３７３】
代表カバレッジマクロセルからスイッチオフ不許可と指示されたスモールセルは、以下のように動作する。スモールセルの判断でスイッチオフをすることを不可能とする。すなわち、スイッチオフをしない。
【０３７４】
代表カバレッジマクロセルの決定方法の具体例として、以下の（２−２−１）〜（２−２−３）の３つを開示する。
【０３７５】
（２−２−１）スモールセルのセルサーチによる受信品質が最も高いカバレッジマクロセルを代表カバレッジマクロセルとする。
【０３７６】
（２−２−２）実施の形態１を用いて、スモールセルの能力に適した設定を行ったカバレッジマクロセルを代表カバレッジマクロセルとする。
【０３７７】
（２−２−３）マクロサポートモードにおいて、スモールセルと共に動作させるマクロセルを代表カバレッジマクロセルとする。スモールセルと共に動作させるマクロセルの具体例は、前述の実施の形態１と同様であるので、説明を省略する。
【０３７８】
スモールセル独自のＥＳ方法の具体例（３）において、他のセルが複数存在する場合の動作の具体例として、以下の（３−１），（３−２）の２つを開示する。
【０３７９】
（３−１）全ての他セルの指示に従う。
具体的には、全ての他のセルから通知されるスイッチオフ不許可期間のうち、最も長いスイッチオフ不許可期間に従う。スモールセルは、スイッチオフ不許可期間は、スモールセルの判断でスイッチオフをすることを不可能とする。すなわち、スイッチオフをしない。
【０３８０】
（３−２）複数の他のセルの中の代表他セルの指示に従う。具体的には、代表他セルを決定する。
さらに具体的には、代表他セルから通知されるスイッチ不許可期間に従う。スモールセルは、代表他セルから通知されるスイッチオフ不許可期間は、スモールセルの判断でスイッチオフをすることを不可能とする。すなわち、スイッチオフをしない。
【０３８１】
代表他セルの決定方法の具体例は、前述のスモールセル独自のＥＳ方法の具体例（１）の（１−２）における代表他セルの決定方法の具体例と同様であるので、説明を省略する。
【０３８２】
スモールセル独自のＥＳ方法の具体例（４）において、カバレッジマクロセルが複数存在する場合の動作の具体例として、以下の（４−１），（４−２）の２つを開示する。
【０３８３】
（４−１）全てのカバレッジマクロセルの指示に従う。
具体的には、全てのカバレッジマクロセルから通知されるスイッチオフ不許可期間のうち、最も長いスイッチオフ不許可期間に従う。スモールセルは、スイッチオフ不許可期間は、スモールセルの判断でスイッチオフをすることを不可能とする。すなわち、スイッチオフをしない。
【０３８４】
（４−２）複数のカバレッジマクロセルの中の代表カバレッジマクロセルの指示に従う。具体的には、代表カバレッジマクロセルを決定する。
さらに具体的には、代表カバレッジマクロセルから通知されるスイッチ不許可期間に従う。スモールセルは、代表カバレッジマクロセルから通知されるスイッチオフ不許可期間は、スモールセルの判断でスイッチオフをすることを不可能とする。すなわち、スイッチオフをしない。
【０３８５】
代表カバレッジマクロセルの決定方法の具体例は、前述のスモールセル独自のＥＳ方法の具体例（２）の（２−２）における代表カバレッジマクロセルの決定方法の具体例と同様であるので、説明を省略する。
【０３８６】
他のセルまたはカバレッジマクロセルが、スイッチオフをしているセルがスモールセルであるか否かを判断する方法の具体例として、以下の（１）〜（３）の３つを開示する。
【０３８７】
（１）セルは、スモールセルであるか否かのインジケータを報知する。他のセルまたはカバレッジマクロセルは、対象のセルの報知情報を受信し、スモールセルであるか否かのインジケータを確認する。
【０３８８】
（２）実施の形態１を用いて、スモールセルが設置された場合に、スモールセルから通知される自セルの能力パラメータに基づいて判断する。能力パラメータに、スモールセルである旨が含まれている場合は、対象のセルをスモールセルと判断する。または、自セルの能力パラメータを通知してきたセルは、スモールセルであると判断してもよい。自セルの識別子を併せて通知してもよい。また、周辺セルにスイッチオフをする旨を通知する際に、スモールセルであるか否かのインジケータを併せて通知してもよい。
【０３８９】
（３）スモールセル独自のＥＳ方法の具体例（１），（２）を用いて、スイッチオフをする前に、スイッチオフをして良いか否かの問合せをしてきたセルは、スモールセルであると判断する。自セルの識別子を併せて通知してもよい。
【０３９０】
スモールセル独自のＥＳ方法を用いるか否かの設定主体、およびスモールセルにおけるスモールセル独自のＥＳ方法を用いるか否かの判断方法の具体例は、前述の実施の形態２のスモールセル独自のＥＳポリシーを用いるか否かの設定主体、およびスモールセルにおけるスモールセル独自のＥＳポリシーを用いるか否かの判断方法の具体例と同様であるので、説明を省略する。
【０３９１】
スモールセルが、スイッチオフをする前に、他のセルまたはカバレッジマクロセルへのスイッチオフをして良いか否かの問合せの通知に用いられるインタフェースの具体例として、以下の（１）〜（３）の３つを開示する。
【０３９２】
（１）Ｘ２インタフェースを用いて通知する。既存のメッセージにインジケータを追加してもよい。既存のメッセージの具体例として、以下を開示する。「eNB Configuration Update」メッセージ（非特許文献１５  ８．３．５章参照）。既存のＥＳ方法において、自セルの判断でスイッチオフをする場合、周辺セルにスイッチオフをする旨を通知する場合に用いるメッセージである。したがって、ＥＳ関連の情報を同じメッセージで送受信することが可能となるので、通信システムが複雑化することを回避することができる。
【０３９３】
（２）ＭＭＥ経由でＳ１インタフェースを用いて通知する。既存のメッセージにインジケータを追加してもよい。既存のメッセージの具体例を、以下に開示する。「eNB Configuration Update」メッセージ（非特許文献１６  ８．７．４章参照）。セルの設定、または状況の情報を同じメッセージで送受信することが可能となるので、通信システムが複雑化することを回避することができる。
（３）新たなインタフェースを設けてもよい。
【０３９４】
他のセルまたはカバレッジマクロセルが、スモールセルにスイッチオフ不許可期間を通知する場合に用いられるインタフェースの具体例として、以下の（１）〜（３）の３つを開示する。
【０３９５】
（１）報知情報を用いて通知する。新たなインジケータを追加する。セル内に多くのスモールセルが設置される場合などに、スモールセル毎に個別にスイッチオフ不許可期間を通知する必要が無い点において、後述するインタフェースの具体例（２），（３）と比較して優れている。スモールセルにおける報知情報を受信する方法の具体例として、以下の（１−１）〜（１−３）の３つを開示する。（１−１）周辺セルサーチ時の報知情報受信時。（１−２）他のセル、またはカバレッジマクロセルのシステム情報の更新通知受信時。（１−３）他セルまたはカバレッジマクロセルからスイッチオンの要求を受信したスモールセルは、該他のセルまたは該カバレッジマクロセルの報知情報を受信し、スイッチオフ不許可期間を確認する。
【０３９６】
（２）Ｘ２インタフェースを用いて通知する。既存のメッセージにインジケータを追加してもよい。既存のメッセージの具体例として、以下の（２−１）〜（２−３）の３つを開示する。
【０３９７】
（２−１）「CELL ACTIVATION REQUEST」メッセージ（非特許文献１５  ８．３．１章参照）。従来のＥＳ動作において、スイッチオフされているセルにスイッチオンを要求するメッセージである。ＥＳ関連の情報を同じメッセージで送受信することが可能となるので、通信システムが複雑化することを回避することができる。
【０３９８】
（２−２）「LOAD INFORMATION」メッセージ（非特許文献１５  ９．１．２．１章参照）。後述のように、スイッチオフ許可、またはスイッチオフ不許可にする場合の判断に、無線リソースの状況を用いる場合は、無線リソース関連の情報を同じメッセージで送受信することが可能となるので、通信システムが複雑化することを回避することができる。
【０３９９】
（２−３）「eNB Configuration Update」メッセージ（非特許文献１５  ８．３．５章参照）。セルの設定、または状況の情報を同じメッセージで送受信することが可能となるので、通信システムが複雑化することを回避することができる。
【０４００】
（３）ＭＭＥ経由でＳ１インタフェースを用いて通知する。既存のメッセージにインジケータを追加してもよい。既存のメッセージの具体例を、以下に開示する。「eNB Configuration Update」メッセージ（非特許文献１６  ８．７．４章参照）。セルの設定、または状況の情報を同じメッセージで送受信することが可能となるので、通信システムが複雑化することを回避することができる。
（４）新たなインタフェースを設けてもよい。
【０４０１】
スイッチオフ不許可期間の表し方の具体例として、以下の（１），（２）の２つを開示する。
【０４０２】
（１）スモールセルをスイッチオンしてからの期間。つまり相対時間。
（２）スイッチオフ不許可の期間。例えば、午前９時から午後５時までなどの期間。つまり絶対時間。
【０４０３】
他のセルまたはカバレッジマクロセルが、スモールセルにスイッチオフ不許可期間を設定するか否かの判断の具体例を、以下に開示する。
【０４０４】
他のセルまたはカバレッジマクロセルは、自セルの負荷が高い場合は、スイッチオフ不許可期間を設定すると判断する。これによって、スイッチオフ不許可期間において、スモールセルが、スモールセルの判断でスイッチオフを行うことがない。したがって、スモールセルのカバレッジ内に位置するＵＥがスモールセルを用いることが可能となるので、他のセルまたはカバレッジマクロセルで無線リソースが不足することを解消することができる。また、同じ理由で、他のセルまたはカバレッジマクロセルの処理負荷を軽減することが可能となる。
【０４０５】
他セルまたはカバレッジマクロセルは、自セルの負荷が低い場合は、スイッチオフ不許可期間を設定しないと判断する。これによって、スモールセルが、スモールセルの判断でスイッチオフを行う。したがって、他のセルまたはカバレッジマクロセルの負荷が低いことから、スモールセルがスイッチオフをした場合であっても、スイッチオフをしたスモールセルの傘下のＵＥとの通信を、他のセルまたはカバレッジマクロセルが問題なく担うことができる。また、併せて、スモールセルがスイッチオフをすることによって、低消費電力化を実現することが可能となる。
【０４０６】
次に、図２２および図２３を用いて、実施の形態２の変形例１の解決策を用いた場合の通信システムのシーケンスの具体例を説明する。図２２および図２３は、実施の形態２の変形例１における通信システムのシーケンスの一例を示す図である。図２２と図２３とは、境界線ＢＬ４の位置で、つながっている。図２２および図２３において、図１６〜図１９に対応するステップについては同一のステップ番号を付して、共通する説明を省略する。
【０４０７】
ステップＳＴ１４０１において、スモールセルが設置され、ステップＳＴ１４０２において、スモールセルによって周辺セルサーチが実行されると、ステップＳＴ１４０３に移行する。
【０４０８】
ステップＳＴ１４０３において、スモールセルは、マクロセルのカバレッジ内に設置されているか否かを判断することによって、カバレッジマクロセルが有るか否かを判断する。ステップＳＴ１４０３において、スモールセルは、マクロセルのカバレッジ内に設置されていないと判断した場合は、カバレッジマクロセルが無いと判断して、ステップＳＴ１７００に移行する。ステップＳＴ１４０３において、スモールセルは、マクロセルのカバレッジ内に設置されていると判断した場合は、カバレッジマクロセルが有ると判断して、ステップＳＴ１７０１に移行する。
【０４０９】
ステップＳＴ１７００において、スモールセルは、従来通りのＥＳ方法を用いることを決定する。スモールセル独自のＥＳ方法を用いないことを決定するとしてもよい。ステップＳＴ１７００の処理が完了すると、設置時の処理を終了し、他の処理に移行する。ステップＳＴ１７００の後の他の処理は、本発明の特徴的な部分ではないので、説明を省略する。
【０４１０】
ステップＳＴ１７０１において、スモールセルは、スモールセル独自のＥＳ方法を用いることを決定する。スモールセル独自のＥＳ方法を用いることを決定すると、ステップＳＴ１５０５に移行する。
【０４１１】
ステップＳＴ１５０５において、スモールセルは、自セルの判断でスイッチオフをするか否かを判断する。スモールセルは、ステップＳＴ１５０５において、スイッチオフをすると判断した場合は、ステップＳＴ１５０６に移行する。スモールセルは、ステップＳＴ１５０５において、スイッチオフをしないと判断した場合は、ステップＳＴ１５０５の処理を繰り返す。
【０４１２】
次に、図２２のステップＳＴ１５０６〜ステップＳＴ１５０７および図２３のステップＳＴ１５０８〜ステップＳＴ１５１２において、図１９のステップＳＴ１５０６〜ステップＳＴ１５１２と同様の処理を行う。
【０４１３】
次に、図２３のステップＳＴ１７０２において、カバレッジマクロセルは、カバレッジ内のスモールセルのスイッチオフ不許可期間を報知情報にマッピングして、マッピングした報知情報をスモールセルに送信する。
【０４１４】
ステップＳＴ１５１１でスイッチオンをしたスモールセル、またはステップＳＴ１５０９でカバレッジマクロセルからスイッチオン要求を受信したスモールセルは、ステップＳＴ１７０３において、カバレッジマクロセルからの報知情報を受信する。
【０４１５】
ステップＳＴ１７０４において、スモールセルは、ステップＳＴ１７０３で受信した報知情報の中に、スイッチオフ不許可期間が含まれているか否かを判断する。スモールセルは、ステップＳＴ１７０４において、報知情報の中に、スイッチオフ不許可期間が含まれていると判断した場合は、ステップＳＴ１７０５に移行する。スモールセルは、ステップＳＴ１７０４において、報知情報の中に、スイッチオフ不許可期間が含まれていないと判断した場合は、ステップＳＴ１７０５の処理を行わない。
【０４１６】
ステップＳＴ１７０５において、スモールセルは、スイッチオフ不許可期間は、スイッチオフをしない。
【０４１７】
次に、図２４および図２５を用いて、実施の形態２の変形例１の解決策を用いた場合の通信システムの他のシーケンスの具体例を説明する。図２４および図２５は、実施の形態２の変形例１における通信システムのシーケンスの他の例を示す図である。図２４と図２５とは、境界線ＢＬ５の位置で、つながっている。図２４および図２５に示す例では、図２２および図２３に示す例とは異なる処理を行う。図２４および図２５において、図１６〜図１９、図２２および図２３に対応するステップについては、同一のステップ番号を付して、共通する説明を省略する。
【０４１８】
ステップＳＴ１４０１において、スモールセルが設置され、ステップＳＴ１４０２において、スモールセルによって周辺セルサーチが実行されると、ステップＳＴ１４０３に移行する。
【０４１９】
ステップＳＴ１４０３において、スモールセルがマクロセルのカバレッジ内に設置されていないと判断された場合は、カバレッジマクロセルが無いと判断されて、ステップＳＴ１７００に移行する。ステップＳＴ１４０３において、スモールセルがマクロセルのカバレッジ内に設置されていると判断された場合は、カバレッジマクロセルが有ると判断されて、ステップＳＴ１４０４に移行する。
【０４２０】
ステップＳＴ１４０４において、スモールセルは、自セルの能力を、カバレッジマクロセルに通知する。ステップＳＴ１４０４でスモールセルの能力を受信したカバレッジマクロセルは、ステップＳＴ１４０６において、スモールセルの能力に適した設定を選択する。具体的には、カバレッジマクロセルは、スモールセルの能力に適した設定パラメータを選択する。本例では、カバレッジマクロセルは、ＥＳ方法として、スモールセル独自のＥＳ方法を選択し、スモールセル独自のＥＳ方法を設定した設定パラメータを選択する。
【０４２１】
次いで、ステップＳＴ１８０１において、カバレッジマクロセルは、ステップＳＴ１４０６で選択した設定パラメータをスモールセルに通知する。本例では、カバレッジマクロセルは、ＥＳ方法として、スモールセル独自のＥＳ方法を設定した設定パラメータをスモールセルに通知する。
【０４２２】
次に、ステップＳＴ１７０１において、スモールセルは、スモールセル独自のＥＳ方法を用いることを決定する。スモールセル独自のＥＳ方法を用いることを決定すると、ステップＳＴ１５０５に移行する。
【０４２３】
ステップＳＴ１５０５において、スモールセルは、自セルの判断でスイッチオフをするか否かを判断する。スモールセルは、ステップＳＴ１５０５において、スイッチオフをすると判断した場合は、ステップＳＴ１８０２に移行する。スモールセルは、ステップＳＴ１５０５において、スイッチオフをしないと判断した場合は、ステップＳＴ１５０５の処理を繰り返す。
【０４２４】
ステップＳＴ１８０２において、スモールセルは、カバレッジマクロセルに、スイッチオフをして良いか否かの問合せを行う。
【０４２５】
ステップＳＴ１８０３において、カバレッジマクロセルは、ステップＳＴ１８０２で受信した、スイッチオフをして良いか否かの問合せに対する応答を、スモールセルに通知する。応答の内容は、スイッチオフ許可またはスイッチオフ不許可である。
【０４２６】
次に、ステップＳＴ１５０４において、スイッチオフが許可されているか否かを判断する。本例では、スモールセルは、ステップＳＴ１８０３で受信した応答の内容がスイッチオフ許可であるか否かを判断することによって、スイッチオフが許可されているか否かを判断する。
【０４２７】
スモールセルは、ステップＳＴ１５０４において、ステップＳＴ１８０３で受信した応答の内容がスイッチオフ許可であると判断した場合は、スイッチオフが許可されていると判断し、図２５のステップＳＴ１５０６に移行する。スモールセルは、ステップＳＴ１５０４において、ステップＳＴ１８０３で受信した応答の内容がスイッチオフ許可でないと判断した場合、換言すればスイッチオフ不許可であると判断した場合は、スイッチオフが許可されていないと判断し、ステップＳＴ１５０５に戻る。
【０４２８】
次に、図２５のステップＳＴ１５０６〜ステップＳＴ１５１２において、図１９のステップＳＴ１５０６〜ステップＳＴ１５１２と同様の処理を行う。
【０４２９】
実施の形態２の変形例１によって、前述の実施の形態２と同様の効果を得ることができる。
【０４３０】
実施の形態２  変形例２．
実施の形態２の変形例２で解決する課題について、以下に説明する。３ＧＰＰでは、スモールセルクラスタについて議論されているが、スモールセルクラスタを導入した場合のＥＳ動作については議論されていない。したがって、３ＧＰＰでは、スモールセルクラスタを導入した場合の最適なＥＳ動作については議論されていない。
【０４３１】
実施の形態２の変形例２での解決策を以下に示す。本変形例では、実施の形態２に加えて、スモールセルクラスタに適したＥＳポリシーを新設する。
【０４３２】
スモールセルクラスタに適したＥＳポリシーの具体例としては、スモールセルクラスタ毎のＥＳ動作とする。
【０４３３】
スモールセルクラスタ毎のＥＳ動作を制御するエンティティを、「スモールセルクラスタＥＳコンセントレータ」と称する。
スモールセルクラスタの具体例は、実施の形態１と同じであるので説明を省略する。
【０４３４】
スモールセルクラスタ毎のＥＳ動作の具体例として、以下の（１）〜（３）の３つを開示する。
【０４３５】
（１）スモールセルクラスタＥＳコンセントレータは、スモールセルクラスタ内のいずれか１つがスイッチオンになったか否かを判断する。スモールセルクラスタ内のいずれか１つがスイッチオンになった場合、スモールセルクラスタＥＳコンセントレータは、クラスタ内に含まれる全てのスモールセルに対して、スイッチオンを指示し、かつクラスタ内に含まれる全てのスモールセルに対して、スイッチオフ不許可を指示する。
【０４３６】
（２）スモールセルクラスタＥＳコンセントレータは、スモールセルクラスタ内のいずれか１つのスモールセルの傘下に、接続状態（ＣＯＮＮＥＣＴＥＤ）のＵＥが存在するか否かを判断する。スモールセルクラスタ内のいずれか１つのスモールセルの傘下に、接続状態（ＣＯＮＮＥＣＴＥＤ）のＵＥが存在する場合、スモールセルクラスタＥＳコンセントレータは、クラスタ内に含まれる全てのスモールセルに対して、スイッチオンを指示し、かつクラスタ内に含まれる全てのスモールセルに対して、スイッチオフ不許可を指示する。
【０４３７】
また、スモールセルクラスタ内の全てのセルの傘下に、接続状態（ＣＯＮＮＥＣＴＥＤ）のＵＥが存在しない場合、スモールセルクラスタＥＳコンセントレータは、クラスタ内に含まれる全てのスモールセルに対して、スイッチオフ許可を指示する。あるいはクラスタ内に含まれる全てのスモールセルに対して、スイッチオフを指示してもよい。
（３）前記（１），（２）の組合せ。
【０４３８】
スモールセルクラスタＥＳコンセントレータの具体例として、以下の（１）〜（６）の６つを開示する。
【０４３９】
（１）セルアグリゲーションする際のスケジューリング主体。
（２）ＣｏＭＰ用の協調制御エンティティ（「ＣｏＭＰコンセントレータ」とも称する）。
（３）ＯＡＭ（operation administration and maintenance）。ＯＡＭがＥＳポリシーを設定する場合がある。スモールセルクラスタＥＳコンセントレータをＯＡＭにすることによって、ＥＳポリシー設定主体とスモールセルクラスタＥＳコンセントレータとが同じになる。したがって、セルのＥＳポリシー情報などのやり取りが不要となるので、通信システムが複雑化することを回避することができる。
（４）カバレッジマクロセル。
（５）ＭＭＥ。
（６）ＨｅＮＢＧＷ。
【０４４０】
スモールセルクラスタＥＳコンセントレータと、スモールセルクラスタの管理主体とは同じであるとよい。スモールセルクラスタの管理主体は、スモールセルクラスタに含まれるスモールセルのリストを記憶していることから、スモールセルクラスタに含まれるスモールセルのリストの情報のやり取りが不要となるので、通信システムが複雑化することを回避することができる。
【０４４１】
スモールセルクラスタの管理主体の具体例は、前述の実施の形態１の変形例１と同じであるので、説明を省略する。
【０４４２】
「スモールセルクラスタ内のいずれか１つのスモールセルの傘下に、接続状態（ＣＯＮＮＥＣＴＥＤ）のＵＥが存在するか否か」を、スモールセルクラスタＥＳコンセントレータが把握する方法の具体例として、以下の（１），（２）の２つを開示する。
【０４４３】
（１）ＭＭＥが所有する、ＵＥとＭＭＥの傘下の各セルとの接続情報をスモールセルクラスタＥＳコンセントレータに通知する。
【０４４４】
（２）各スモールセルから、接続状態（ＣＯＮＮＥＣＴＥＤ）のＵＥが存在するか否かの情報をスモールセルクラスタＥＳコンセントレータに通知する。
【０４４５】
「スモールセルクラスタ内のいずれか１つがスイッチオンになったか否か」を、スモールセルクラスタＥＳコンセントレータが把握する方法の具体例を、以下に開示する。ＥＳ動作において、スイッチオフをする場合、スモールセルクラスタＥＳコンセントレータにスイッチオフをする旨を通知する。また、スイッチオンをする場合、スモールセルクラスタＥＳコンセントレータにスイッチオンをした旨を通知する。スイッチオフ、スイッチオンした旨を通知する際、スモールセルであるか否かのインジケータを併せて通知してもよい。また、自セルの識別子を併せて通知してもよい。
【０４４６】
実施の形態２の変形例２によって、以下の効果を得ることができる。スモールセルクラスタを導入した場合の最適なＥＳ動作を得ることができる。スモールセルクラスタを導入した場合、スモールセルクラスタ毎のＥＳ動作を得ることができる。具体例を挙げて、以下に、効果を説明する。
【０４４７】
スモールセルクラスタが同じスケジューリング主体となるスモールセルの集合である場合、セルアグリゲーションにおいて用いられる可能性のあるスモールセルのＥＳ動作を同じにすることができる。したがって、各スモールセルのＥＳ動作を考慮せずに、セルアグリゲーションに用いるスモールセルを選択することが可能となる。これによって、セルアグリゲーションの制御が容易となる。
【０４４８】
スモールセルクラスタが設置場所に応じたスモールセルの集合である場合、同じ条件でスイッチオフ、またはスイッチオンをしたいスモールセルのＥＳ動作を同じにすることができる。同じ条件とは、例えば学校が休校である場合は、学校内に設置されたスモールセルは、スイッチオフとしたいなどである。
【０４４９】
スモールセルクラスタが同じＣｏＭＰコオペレーティングセットに属するスモールセルの集合ある場合、ＣｏＭＰにおいて用いられる可能性のあるスモールセルのＥＳ動作を同じにすることができる。したがって、各スモールセルのＥＳ動作を考慮せずに、ＣｏＭＰに用いるスモールセルを選択することが可能となる。これによって、ＣｏＭＰの制御が容易となる。
【０４５０】
実施の形態２  変形例３．
実施の形態２の変形例３で解決する課題について、以下に説明する。スモールセルは、数多く設置されることが予想される。また、スモールセルは、比較的カバレッジエリアが狭いことが予想される。したがって、ｅＮＢによって用いられるスイッチオフの決定ポリシーが、例えば、接続状態（ＣＯＮＮＥＣＴＥＤ）のＵＥに関するものである場合を考える。接続状態（ＣＯＮＮＥＣＴＥＤ）のＵＥが一定の速度で移動する場合、カバレッジエリアの差から、スモールセルのスイッチの切替えは、マクロセルのスイッチの切替えと比較して頻繁になることが予想される。また、セルは、スイッチオフからスイッチオンされ、ＵＥにとって通常通り使用可能、つまりＵＥとセルとがデータの送受信が可能となるまでの準備期間が必要であることが一般的である。頻繁なスイッチの切替えによって、前記準備期間が不足し、移動するＵＥの連続的な送受信が不可能となるという問題が生じる。また頻繁なスイッチの切替えによって、かえって制御情報などが必要となり、ＥＳ効果を得られないことも考えられる。
【０４５１】
実施の形態２の変形例３での解決策として、以下の（Ａ），（Ｂ）の２つを開示する。
（Ａ）１つのスモールセルが、複数のスモールセルクラスタに属することを可能とし、実施の形態２の変形例２を用いてスモールセルクラスタ毎のＥＳ動作とする。具体例を、図２６を用いて説明する。図２６は、実施の形態２の変形例３の解決策の概念を説明するための図である。各スモールセルは、予め定める範囲のカバレッジ１９０１〜１９１７を構成する。図２６では、理解を容易にするために、各スモールセルの図示を省略し、各スモールセルを、そのカバレッジによって表している。以下の説明では、各スモールセルを、そのカバレッジを示す参照符号「１９０１」〜「１９１７」で示す。
【０４５２】
クラスタａには、スモールセル１９１０，１９１１，１９１４，１９１５，１９１６が含まれるとする。クラスタｂには、スモールセル１９０７，１９０８，１９１１，１９１２，１９１３，１９１６，１９１７が含まれるとする。クラスタｃには、スモールセル１９０１，１９０２，１９０５，１９０６，１９０７，１９１０，１９１１が含まれるとする。
【０４５３】
ロケーション１９１９において、ＵＥ１９００は、スモールセル１９１１と接続状態にあるとする。または、ＵＥ１９００は、スモールセル１９１１とユーザデータの送受信を行うものとする。
【０４５４】
接続状態（ＣＯＮＮＥＣＴＥＤ）のＵＥがスモールセル１９１１に存在する場合には、スモールセル１９１１はクラスタａ、クラスタｂ、クラスタｃに含まれるので、クラスタａ、クラスタｂ、クラスタｃに含まれるスモールセルをスイッチオンとする。クラスタａ、クラスタｂ、クラスタｃに含まれるスモールセルをスイッチオフ不許可とする。
【０４５５】
ＵＥ１９００が、ロケーション１９１９からロケーション１９１８に移動した場合について説明する。
【０４５６】
ロケーション１９１８において、ＵＥ１９００は、スモールセル１９０７と接続状態となる。または、ＵＥ１９００は、スモールセル１９０７とユーザデータの送受信を行う。
【０４５７】
接続状態（ＣＯＮＮＥＣＴＥＤ）のＵＥがスモールセル１９０７に存在する場合には、スモールセル１９０７はクラスタｂ、クラスタｃに含まれるので、クラスタｂ、クラスタｃに含まれるスモールセルをスイッチオンとする。クラスタｂ、クラスタｃに含まれるスモールセルをスイッチオフ不許可とする。
【０４５８】
前述のように、移動後にＵＥ１９００の送受信を担うスモールセル１９０７は、ＵＥ１９００がロケーション１９１９に存在し、スモールセル１９１１がＵＥ１９００の送受信を担っている間にもスイッチオンされていることが判る。このように、ＵＥの移動の事前にスイッチオンされていることから、準備期間が確保され、移動するＵＥの連続的な送受信が可能となる。
【０４５９】
また、ＵＥ１９００がロケーション１９１９からロケーション１９１８に移動した後、少し後戻りし、ロケーション１９１９に戻った場合を考える。スモールセル１９１１は、ＵＥ１９００がロケーション１９１８に存在し、スモールセル１９０７がＵＥ１９００の送受信を担っている間にもスイッチオンされていることが判る。また、少々後戻りが生じた場合であっても、移動前のスモールセルがすぐにスイッチオフをされることがないので、準備期間が確保され、移動するＵＥの連続的な送受信が可能となる。また、移動したからといって、移動前のスモールセルが、すぐにスイッチオフをされないので、頻繁なスイッチの切替えが抑制される。
【０４６０】
具体例（Ａ）では、スモールセルクラスタに含まれるスモールセルは、静的、または準静的に決定できるので、具体例（Ｂ）と比較して、スイッチオフ不許可、スイッチオフ許可を通知する主体は、通知先の判断が容易となり、処理負荷が軽減される。
【０４６１】
（Ｂ）スモールセルクラスタに適したＥＳポリシーを新設する。スモールセルクラスタに適したＥＳポリシーの具体例として、以下の（１），（２）の２つを開示する。
【０４６２】
（１）接続状態（ＣＯＮＮＥＣＴＥＤ）のＵＥが存在するスモールセルの周辺スモールセルをスイッチオンとする。接続状態（ＣＯＮＮＥＣＴＥＤ）のＵＥが存在するスモールセルの周辺スモールセルをスイッチオフ不許可とする。
または、ユーザデータプレイン（U plane）を送受信するＵＥが存在するスモールセルの周辺スモールセルをスイッチオンとする。ユーザデータプレイン（U plane）を送受信するＵＥが存在するスモールセルの周辺スモールセルをスイッチオフ不許可とする。
【０４６３】
（２）接続状態（ＣＯＮＮＥＣＴＥＤ）のＵＥが存在しないスモールセルの周辺スモールセルをスイッチオフ許可とする。
または、ユーザデータプレイン（U plane）を送受信するＵＥが存在しないスモールセルの周辺スモールセルをスイッチオフ許可とする。
【０４６４】
図２６に示すロケーション１９１９において、ＵＥ１９００は、スモールセル１９１１と接続状態にあるとする。または、ＵＥ１９００は、スモールセル１９１１とユーザデータの送受信を行うものとする。
【０４６５】
接続状態（ＣＯＮＮＥＣＴＥＤ）のＵＥが存在するスモールセル１９１１の周辺スモールセルである、例えばスモールセル１９０６，１９０７，１９１０，１９１２，１９１５，１９１６をスイッチオンとする。接続状態（ＣＯＮＮＥＣＴＥＤ）のＵＥが存在するスモールセル１９１１の周辺スモールセルである、例えばスモールセル１９０６，１９０７，１９１０，１９１２，１９１５，１９１６をスイッチオフ不許可とする。
【０４６６】
ＵＥ１９００が、ロケーション１９１９からロケーション１９１８に移動した場合について説明する。
【０４６７】
ロケーション１９１８において、ＵＥ１９００は、スモールセル１９０７と接続状態となる。または、ＵＥ１９００は、スモールセル１９０７とユーザデータの送受信を行う。
【０４６８】
接続状態（ＣＯＮＮＥＣＴＥＤ）のＵＥが存在するスモールセル１９０７の周辺スモールセルである、例えばスモールセル１９０２，１９０３，１９０６，１９０８，１９１１，１９１２をスイッチオンとする。接続状態（ＣＯＮＮＥＣＴＥＤ）のＵＥが存在するスモールセル１９１１の周辺スモールセルである、例えばスモールセル１９０２，１９０３，１９０６，１９０８，１９１１，１９１２をスイッチオフ不許可とする。
【０４６９】
前述のように、移動後にＵＥ１９００の送受信を担うスモールセル１９０７は、ＵＥ１９００がロケーション１９１９に存在し、スモールセル１９１１がＵＥ１９００の送受信を担っている間にもスイッチオンされていることが判る。このように、ＵＥの移動の事前にスイッチオンされていることから、準備期間が確保され、移動するＵＥの連続的な送受信が可能となる。
【０４７０】
また、ＵＥ１９００がロケーション１９１９からロケーション１９１８に移動した後、少し後戻りし、ロケーション１９１９に戻った場合を考える。スモールセル１９１１は、ＵＥ１９００がロケーション１９１８に存在し、スモールセル１９０７がＵＥ１９００の送受信を担っている間にもスイッチオンされていることが判る。また、少々後戻りが生じた場合であっても、移動前のスモールセルがすぐにスイッチオフされることがないので、準備期間が確保され、移動するＵＥの連続的な送受信が可能となる。また、移動したからといって、移動前のスモールセルが、すぐにスイッチオフされないことから、頻繁なスイッチの切替えが抑制される。
【０４７１】
各スモールセルにスイッチオンまたはスイッチオフ不許可、スイッチオフ許可を通知する主体の具体例として、以下の（１）〜（４）の４つを開示する。
【０４７２】
（１）ＭＭＥ。ＵＥとＭＭＥの傘下の各セルとの接続情報を保持しているので、判断が容易である。
（２）接続状態（ＣＯＮＮＥＣＴＥＤ）のＵＥが存在するスモールセル。自セルの接続情報を保持しているので、判断が容易である。
（３）カバレッジマクロセル。
（４）ＥＳの集中制御ノード（ＥＳコンセントレータ）。
【０４７３】
スイッチオンまたはスイッチオフ不許可、スイッチオフ許可の通知に用いられるインタフェースの具体例として、以下の（１）〜（３）の３つを開示する。
【０４７４】
（１）Ｘ２インタフェースを用いて通知する。既存のメッセージにインジケータを追加してもよい。既存のメッセージの具体例として、以下の（２−１）〜（２−３）の３つを開示する。
（１−１）「CELL ACTIVATION REQUEST」メッセージ（非特許文献１５  ８．３．１章参照）。従来のＥＳポリシーにおいて、スイッチオフされているセルにスイッチオンを要求するメッセージである。ＥＳ関連の情報を同じメッセージで送受信することが可能となるので、通信システムが複雑化することを回避することができる。
（１−２）「LOAD INFORMATION」メッセージ（非特許文献１５  ９．１．２．１章参照）。接続状態（ＣＯＮＮＥＣＴＥＤ）のＵＥが存在するか否かは、無線リソースを該ＵＥに割当てているか否かでもあるので、無線リソース関連の情報を同じメッセージで送受信可能となる。これによって、通信システムが複雑化することを回避することができる。
（１−３）「eNB Configuration Update」メッセージ（非特許文献１５  ８．３．５章参照）。セルの設定または状況の情報を、同じメッセージで送受信することが可能となるので、通信システムが複雑化することを回避することができる。
【０４７５】
（２）Ｓ１インタフェースを用いて通知する。既存のメッセージにインジケータを追加してもよい。既存のメッセージの具体例を、以下に開示する。「MME Configuration Update」メッセージ（非特許文献１６  ８．７．５章参照）。新たなメッセージを設けないことによって、通信システムが複雑化することを回避することができる。
（３）新たなインタフェースを設けてもよい。
【０４７６】
実施の形態２の変形例３によって、以下の効果を得ることができる。スモールセル間をＵＥが移動する場合、ＵＥの移動の事前に移動先のスモールセルがスイッチオンされていることから、準備期間が確保され、移動するＵＥの連続的な送受信が可能となる。また、移動したからといって、移動前のスモールセルが、すぐにスイッチオフされないことから、ＵＥの少々の移動による頻繁なスイッチの切替えが抑制される。
【０４７７】
実施の形態３．
実施の形態３で解決する課題について、以下に説明する。スモールセルは、カバレッジエリアが比較的狭いことが予想される。ｅＮＢによって用いられるスイッチオフの決定ポリシーが、例えば、接続状態（ＣＯＮＮＥＣＴＥＤ）のＵＥに関するものである場合を考える。カバレッジエリアの差から、スモールセルの傘下に、接続状態（ＣＯＮＮＥＣＴＥＤ）のＵＥが存在する頻度は、マクロセルの傘下と比べて低いことが予想される。つまり、スモールセルのスイッチの切替えは、マクロセルのスイッチの切替えと比較して、頻繁になることが予想される。
【０４７８】
前述の図１５を用いて、実施の形態３で解決する課題を説明する。例えば、ＵＥ１がスモールセル１３０５のカバレッジ１３０４内に存在するとする。ＵＥ１は、スモールセル１３０５にキャンプオン（待受け中）しているものとする。つまり、接続状態にはないものとする。スモールセル１３０５は、接続状態（ＣＯＮＮＥＣＴＥＤ）のＵＥが存在しなくなったため、自セルの判断で、スイッチオフをする。
【０４７９】
待受け中のＵＥ１は、セルリセレクションを行う。ＵＥ１は、スモールセル１３０５とオーバレイしているカバレッジ１３０３を有するマクロセル１３０３を選択する。
【０４８０】
ＵＥ１は、マクロセル１３０３をセル再選択して、マクロセル１３０３のＴＡＣを確認する。
【０４８１】
マクロセル１３０３のＴＡＣと、スモールセル１３０５のＴＡＣとが異なる場合、ＵＥ１は、マクロセル１３０３にＴＡＵの処理を行う。
【０４８２】
何の工夫もしなければ、数多く設置されることが予想されるスモールセルによって、ＵＥからのＴＡＵが頻繁に発生するという問題が生じる。
【０４８３】
実施の形態３での解決策を以下に示す。カバレッジマクロセルとスモールセルとは、同じＴＡＣとする。さらに、同じカバレッジマクロセル持つスモールセルは、同じＴＡＣとする。
【０４８４】
カバレッジマクロセルとスモールセルとを同じＴＡＣにする方法の具体例として、以下の（１），（２）の２つを開示する。
【０４８５】
（１）実施の形態１と同様に、既に設置されているネットワーク機器が、スモールセルの能力に適した設定時に合わせてＴＡＣを設定する。カバレッジマクロセルのＴＡＣと同じＴＡＣを設定する。
【０４８６】
（２）スモールセルが設定する。スモールセルは、設置の際にセルサーチ（周辺セルサーチ）を行い、カバレッジマクロセルが存在した場合、カバレッジマクロセルのＴＡＣを確認し、該ＴＡＣに自セルのＴＡＣを設定する。
【０４８７】
ＴＡＣを設定したスモールセルの動作の具体例として、以下の（１），（２）の２つを開示する。
（１）ＴＡＣを報知情報にマッピングして、傘下のＵＥに通知する。
（２）設定したＴＡＣをＭＭＥに報告する。
【０４８８】
また、スモールセルのシステム情報をカバレッジマクロセルから、スモールセルの傘下のＵＥに通知する場合、スモールセルのＴＡＣは、カバレッジマクロセルのＴＡＣと同じとして、省略してもよい。これによって、通信量を削減することができる。
【０４８９】
実施の形態３によって、以下の効果を得ることができる。つまり、スモールセルのスイッチの切替えは、マクロセルのスイッチの切替えと比較して頻繁になった場合であっても、スモールセルが数多く設置された場合であっても、ＵＥからのＴＡＵの送信を抑制することが可能となる。
【０４９０】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０４９１】
１３０１，１３０３  マクロｅＮＢ（マクロセル）のカバレッジ、１３０２，１３０４  スモールｅＮＢ（スモールセル）のカバレッジ、１３０５，１３０６，１９０１〜１９１７  スモールセル（カバレッジ）、１９００  ＵＥ。
【図１】
2018133817.tif 000003
【図２】
2018133817.tif 000004
【図３】
2018133817.tif 000005
【図４】
2018133817.tif 000006
【図５】
2018133817.tif 000007
【図６】
2018133817.tif 000008
【図７】
2018133817.tif 000009
【図８】
2018133817.tif 000010
【図９】
2018133817.tif 000011
【図１０】
2018133817.tif 000012
【図１１】
2018133817.tif 000013
【図１２】
2018133817.tif 000014
【図１３】
2018133817.tif 000015
【図１４】
2018133817.tif 000016
【図１５】
2018133817.tif 000017
【図１６】
2018133817.tif 000018
【図１７】
2018133817.tif 000019
【図１８】
2018133817.tif 000020
【図１９】
2018133817.tif 000021
【図２０】
2018133817.tif 000022
【図２１】
2018133817.tif 000023
【図２２】
2018133817.tif 000024
【図２３】
2018133817.tif 000025
【図２４】
2018133817.tif 000026
【図２５】
2018133817.tif 000027
【図２６】
2018133817.tif 000028